(57)【要約】      （修正有）【課題】動物用トイレとその周囲を清潔に保ち、尿臭の発生を抑制する動物用トイレを提供する。【解決手段】簀子は、縦材３４と横材３５とによる多数の長方形の透孔３６を有する。縦材３４の下端は、縦方向に繰返して連続する下に凸の逆アーチ部３７であり、その最下端３７ａは、横材３５の直下方にあり、その最上端３７ｂは、隣接する横材３５間の中央位置で、横材３５の最下端３５ｄよりも上方にある。尿は、透孔３６の全面に拡がった液体の薄膜を形成し、次に、その薄膜が重力で下降して逆アーチ部３７の最上端３７ｂを経ることによって、縦に２つに分断され、その後、縦材３４の外側面から、縦材３４の逆アーチ部３７に沿って流れ、最下端３７ａに集まって大きな液滴となって落下する。【選択図】図７
2020022450.tif 000002
【特許請求の範囲】
【請求項１】
動物を乗載する簀子の下方に、簀子から落下する尿を吸収する吸収体が配置される動物用トイレにおいて、
簀子は、
複数の縦材と複数の横材とが一体的に交差して透孔が形成され、
各透孔は、縦が横よりも長い、細長い形状を有し、
縦材の下端は、下に凸の逆アーチ部が縦方向に繰返して連続して構成され、
各逆アーチ部の最下端は、横材の直下方にあり、
各逆アーチ部の最上端は、縦方向に隣接する横材の間で、横材の下端よりも上方にあることを特徴とする動物用トイレ。
【請求項２】
縦材および横材の少なくとも一方の軸直角断面は、
外側面がなめらかに連なる上部分と下部分とを有し、
上部分の幅が、上になるにつれて狭く形成される上に凸の形状を有し、
下部分の幅が、下になるにつれて狭く形成される下に凸の形状を有することを特徴とする請求項１に記載の動物用トイレ。
【請求項３】
縦材の最上端は、横材の最上端よりも低く形成されることを特徴とする請求項１または２に記載の動物用トイレ。
【請求項４】
吸収体は、下容器に収容され、この下容器は、
簀子を支持する下容器本体と、
吸収体を収容し、下容器本体に引き出し状に挿脱自在なトレーとを有し、
縦材は、トレーの挿脱方向に延び、
少なくとも１つの縦材の逆アーチ部の最下端は、トレーの少なくとも移動範囲内で、横材の最下端と同一または下方に位置することを特徴とする請求項１〜３のうちの１つに記載の動物用トイレ。
【請求項５】
動物を乗載する簀子と、簀子の下方に配置される下容器とを有し、
下容器は、
簀子を支持する下容器本体と、
底板を有し、底板上で、簀子から落下する尿を吸収する吸収体を収容し、下容器本体に引き出し状に挿脱自在なトレーとを有する動物用トイレにおいて、
下容器本体は、
トレーを挿脱する装着口を有する下周壁と、
その下周壁の下部に連なり、トレーを支持する底部とを有し、
底部とトレーとには、トレーを挿脱方向に相互に凹凸嵌合して案内する案内部が形成され、
底部の上面には、端部係止部が形成され、
トレーの底板の下面には、トレーの装着状態で、底部の端部係止部よりもトレーの挿入方向の下流で、底部の端部係止部の下流端と係止する上流端を有する位置決め係止部が形成され、
端部係止部と位置決め係止部との係止が、トレーの引き出し方向の操作によって解除可能であることを特徴とする動物用トイレ。
【請求項６】
トレーは、
トレーの装着状態で、トレーの挿入方向の上流で下容器本体の底部の端部係止部の上流端に当接する停止係止部と、
トレーの挿入方向の上流で底板から立ち上がって連なり、トレーの装着状態で下容器本体の下周壁の装着口を閉鎖し、装着口の内方へ凹んで形成される引き出し操作用把手を有する端壁とを有し、
下容器本体の下周壁には、装着口付近でトレーの端壁の上部で挿入方向の下流端に当接して、それ以上の過度の挿入を制限する停止片が形成されることを特徴とする請求項５に記載の動物用トイレ。
【請求項７】
（ａ）動物が出入りする出入り口が形成されるカバー周壁を有するカバーと、
（ｂ）上容器であって、
動物を乗載する簀子と、
簀子を支持して動物を乗載する空間をカバー周壁とともに形成する上周壁とを有する上容器と、
（ｃ）下容器であって、
上容器が上方から嵌まり込んで上容器を支持する下周壁を有し、
簀子から落下する尿を吸収する吸収体を収容する下容器とを有する動物用トイレにおいて、
（ｄ）下容器の下周壁の上部に連なり、周方向にわたって外側方に延びる下支持部が形成され、
（ｅ）上容器の上周壁の上部に連なり、周方向にわたって外側方に延び、下支持部上に載置され、下支持部の外周面を周方向にわたって露出する上支持部が形成され、
（ｆ）カバー周壁の下部は、上支持部の外周面を周方向にわたって露出し、
（ｇ）カバー周壁の下部にその左右外側方で、上周壁の上支持部よりも下方に延びる連結片が設けられ、
この連結片には、第１連結部が設けられ、
下周壁の上部に、第１連結部に連結、離脱可能な第２連結部が設けられることを特徴とする動物用トイレ。
【請求項８】
下容器の下支持部上に、上容器の上支持部よりも内側方で立設され、上支持部の内側方への変位を制限する内制限突起が形成され、
上容器の上支持部に、上支持部の内側方へ突出し、内制限突起の端面に当接する前後制限突起が形成され、
内制限突起と前後制限突起との当接によって、上容器と下容器との前後方向の相互の変位が阻止されることを特徴とする請求項７に記載の動物用トイレ。
【請求項９】
上容器の上支持部は、上周壁の上部とともに外側方に逆Ｕ字状に連なり、内制限突起を覆う連結部を介して形成され、
前後制限突起は、上周壁の上部と連結部とを連結して固定されることを特徴とする請求項８に記載の動物用トイレ。
【請求項１０】
カバー周壁の下部は、その下部とともに内側方に逆Ｕ字状に連なる覆い部によって、下方に臨む載置用空間を形成し、
この載置用空間の内方に、載置用突部を収容し、
載置用突部は、カバー周壁の下部と覆い部とを連結して固定され、
載置用突部またはカバー周壁の下端のいずれか少なくとも一方が、上支持部上に載置されることを特徴とする請求項７〜９のうちの１つに記載の動物用トイレ。
【請求項１１】
複数の縦材と複数の横材とが一体的に交差して透孔が形成され、
各透孔は、縦が横よりも長い、細長い形状を有し、
縦材は、下に凸の逆アーチ部が縦方向に繰返して連続して構成され、
各逆アーチ部の最下端は、横材の直下方にあり、
各逆アーチ部の最上端は、縦方向に隣接する横材の間で、横材の最下端よりも上方にあることを特徴とする簀子。
【請求項１２】
複数の縦材と複数の横材とが一体的に交差して透孔が形成され、
各透孔は、縦が横よりも長い、細長い形状を有し、
縦材は、下に凸の逆アーチ部が縦方向に繰返して連続して構成され、
各逆アーチ部の最下端は、縦方向に隣接する横材の間で、横材の最下端よりも下方にあり、
各逆アーチ部の最上端は、横材の最下端に連なることを特徴とする簀子。
【請求項１３】
透孔を形成する縦材の外側面間の幅は、前記最下端に近づくにつれて小さくなることを特徴とする請求項１２に記載の簀子。
【請求項１４】
動物を乗載する簀子と、簀子の下方に配置される下容器とを有し、
下容器は、
簀子を支持する下容器本体と、
底板を有し、底板上で、簀子から落下する尿を吸収する吸収体を収容し、下容器本体に引き出し状に挿脱自在なトレーとを有する動物用トイレにおいて、
下容器本体は、下周壁と、その下周壁の下部に連なり、トレーを支持する底部とを有し、
下周壁には、前後方向のほぼ中央に、凹部が形成され、
凹部の外面は、下周壁が、前後から中央になるにつれて、かつ、上下方向のほぼ中央から下方になるにつれて、左右方向の内方に凹んで、滑らかな湾曲面で形成され、
凹部の上部は、前後方向の中央から前後になるにつれて、かつ、上方になるにつれて、左右の外側方に膨らんで、滑らかな湾曲面で形成されることを特徴とする動物用トイレ。
【請求項１５】
トレーは、底板と、底板の上方に臨む底面の４方の周縁辺から立ち上がって、矩形シート状の吸収体を収容する収容領域を形成する周壁とを有し、平面視で４個所の隅部を有する挿入方向に細長い矩形であり、
これらの隅部における底板と周壁とが交差する交差部は、外側方に凸に湾曲させた曲面によって構成されることを特徴とする請求項１４に記載の動物用トイレ。
【請求項１６】
周壁は、前壁と、左右一対の側壁と、後壁とを有し、
前壁は、トレーの挿入方向の上流に形成され、左右方向に延び、
側壁は、前壁に連なって形成され、挿入方向に平行な前後方向に延び、
後壁は、トレーの挿入方向の下流で各側壁に連なって形成され、左右方向に延び、
前壁の内壁面は、中央寄り内壁面と、隅部における左右両端部付近の隅部内壁面とを有し、底板の底面に連なる内壁面の下端は、左右方向に一直線状に延び、
内壁面の隅部以外の部分である中間の中央寄り内壁面は、トレーの底板の底面に対する角度α１で、底板の底面から上方になるにつれて収容領域の外方に傾斜した平面であり、
隅部の付近において、隅部内壁面は、中央寄り内壁面に滑らかに連なり、収容領域の外方に延びて、底面に対する角度θ（θ＞α１）が、左右方向の外方になるにつれて大きい値に変化するように、収容領域側に凸に緩やかに湾曲して形成されることを特徴とする請求項１５に記載の動物用トイレ。
【請求項１７】
側壁の内側面において、内側面の底板の底面に連なる下端は、挿入方向に平行に一直線状に延び、
内側面は、底面に対して角度α２（θ＞α２）で、底板の底面から上方になるにつれて収容領域の外方に、隅部の付近の隅部内側面をも含めた縦方向の全長にわたって、傾斜した平面であり、
隅部内側面は、隅部内壁面に連なり、前壁の隅部内壁面は、隅部内側面を含む内側面よりも左右方向の外方に延びていないことを特徴とする請求項１４〜１６のうちの１つに記載の動物用トイレ。
【請求項１８】
下容器は、下周壁におけの左右方向の両側に、互い近接する方向に突出する一対の係止片が設けられ、
トレーは、端壁と側壁との交差部に、各係止片が当接する段差部を有することを特徴とする請求項１４〜１７のうちの１つに記載の動物用トイレ。
【請求項１９】
トレーの底板には、前後方向に沿って平行に延びる左右一対の移動案内部が、下方に突設され、
下容器本体の底部には、前後方向に沿って平行に延びる左右一対の縦隆起部が、上方に突設され、
各移動案内部は、各縦隆起部の外側方で相互に凹凸嵌合して、トレーの挿入方向の移動範囲内で案内されることを特徴とする請求項１４〜１８のうちの１つに記載の動物用トイレ。
【発明の詳細な説明】
【技術分野】
【０００１】
本発明は、猫などのための動物用トイレに関する。
【背景技術】
【０００２】
動物用トイレでは、簀子（すのこ）上に、ゼオライト、ベントナイトなどから成る猫砂などと呼ばれる粒状の排泄物処理材が敷設されて便床が形成され、排泄された尿は、排泄物処理材から簀子を経て落下し、簀子の下方に配置された吸水性樹脂、植物繊維などから成る吸収体によって吸収される。
【０００３】
従来、動物用トイレの簀子は、排泄された尿を透過する多数の透孔を有する多孔質の板から成る（特許文献１）。この従来技術では、排泄された尿は、透孔の全面に薄膜を形成したままで残留し、簀子からの落下に長い時間がかかる。したがって、従来の動物用トイレでは、動物用トイレとその周囲を清潔に保つことができず、尿臭の発生を抑制することができない。
【先行技術文献】
【特許文献】
【０００４】
【特許文献１】特開平１０−２２９７６８
【発明の概要】
【発明が解決しようとする課題】
【０００５】
本発明の目的は、清潔に保ち、尿臭の発生を抑制する動物用トイレを提供することである。
【課題を解決するための手段】
【０００６】
本発明は、図７に示されるとおり、
動物を乗載する簀子３１の下方に、簀子３１から落下する尿を吸収する吸収体９８が配置される動物用トイレにおいて、
簀子３１は、
複数の縦材３４と複数の横材３５とが一体的に交差して透孔３６が形成され、
各透孔３６は、縦が横よりも長い、細長い形状を有し、
縦材３４の下端は、下に凸の逆アーチ部３７が縦方向に繰返して連続して構成され、
各逆アーチ部３７の最下端３７ａは、横材３５の下方にあり、
各逆アーチ部３７の最上端３７ｂは、縦方向に隣接する横材３５の間で、横材３５の最下端３５ｄよりも上方にあることを特徴とする動物用トイレである。
【発明の効果】
【０００７】
本発明に従えば、簀子３１は、第１複数の縦材３４と第２複数の横材３５とが一体的に交差して形成される多数の透孔３６を有し、各透孔３６は、縦が横よりも長い、たとえば、平面視で長方形の細長い形状を有する。猫などの動物から排泄された尿は、簀子３１上に敷設された、たとえば、粒状の排泄物処理材を経て簀子３１上に流れ、各透孔３６の上部でその全面に拡がった、たとえば、長方形である液体の、いわばブリッジと呼ぶことができる薄膜３８ａ、３８ｂ（図１０、図１１）を形成し、その薄膜３８ａ、３８ｂは、透孔３６を閉じる。次に、薄膜３８ｂは、縦材３４と横材３５の透孔に臨む外側面に接触しながら、透孔３６を閉じたままで下降してゆく。
【０００８】
逆アーチ部３７の最上端３７ｂを含む仮想水平面は、縦方向に隣接する横材３５の間で、横材３５の最下端３５ｄよりも上方に位置する。したがって、薄膜３８ｃが逆アーチ部３７の最上端３７ｂに到達し、その最上端３７ｂを経て下降することによって、薄膜３８は、縦材３４の透孔３６に臨む外側面から離間し、縦に２つに分断されて破裂する。その後、分断された各薄膜３８ｃ〜３８ｅは、さらに下降するにつれて、縦材３４の外側面から逆アーチ部３７の下端に沿って流れ、各薄膜３８ｃ〜３８ｅ間の縦の距離が長くなってゆく。
【０００９】
逆アーチ部３７の最下端３７ａは、横材３５の下方にあり、たとえば、横材３５の最下端３５ｄを通る鉛直線上で下方である直下方に、または縦にいくらかずれて、位置する。あるいは、横材３５の最下端３５ｄは下方に延びて、逆アーチ部３７の最下端３７ａと一致してもよい。したがって、縦材３４の透孔３６に臨む外側面、および下端である逆アーチ部３７に沿って、さらに下降する尿は、逆アーチ部３７の最下端３７ａに導かれて集まって、大きな液滴に成長して、落下する。こうして簀子３１から落下した尿は、吸収体９８に吸収される。
【００１０】
したがって、尿の表面張力または毛管力を利用して、逆アーチ部３７の最下端３７ａに速やかに集めて大きな液滴に成長させて落下させ、尿の、いわば集水機能が優れて達成されるので、尿が簀子３１に残留したままにならない。こうして、動物用トイレ１とその周囲を清潔に保ち、尿臭の発生を抑制することができる。
【００１１】
本発明は、図８に示されるとおり、
縦材３４および横材３５の少なくとも一方の軸直角断面は、
外側面がなめらかに連なる上部分３４ａと下部分３４ｂとを有し、
上部分３４ａの幅Ｗ１が、上になるにつれて狭く形成される上に凸の形状を有し、
下部分３４ｂの幅Ｗ２が、下になるにつれて狭く形成される下に凸の形状を有することを特徴とする。
【００１２】
本発明に従えば、縦材３４の軸直角断面の外側面がなめらかに連なる上部分３４ａと下部分３４ｂとを有し、上部分３４ａの幅Ｗ１が、上になるにつれて狭く形成される上に凸の形状を有することによって、排泄された尿は、上部分３４ａの外側面に沿って円滑に速やかに流下する。
【００１３】
さらに下部分３４ｂの幅Ｗ２が、下になるにつれて狭く形成される下に凸の形状を有することによって、透孔３６を形成する両縦材３４の外側面間の横の距離が、下になるにつれて大きくなるので、透孔３６を閉じている薄膜３８ａ、３８ｂが破裂しやすくなり、その破裂後の尿が、縦材３４の外側面に沿って下降しやすくなり、円滑に速やかに流下する。
【００１４】
この縦材３４に関する前述の効果は、横材３５の軸直角断面の外側面がなめらかに連なる上部分３５ａと下部分３５ｂとを有し、上部分３５ａの幅Ｗ３が、上になるにつれて狭く形成される上に凸の形状を有し、下部分３５ｂの幅Ｗ４が、下になるにつれて狭く形成される下に凸の形状を有する構成においても同じく達成され、縦材３４と横材３５との両者が前述と同じく構成されても同じく達成される。
本発明は、縦材３４と横材３５との少なくともいずれか一方の軸直角断面が、後述の図７〜１０以外の形状、たとえば、矩形などであっても、実施できる。
【００１５】
本発明は、
縦材３４の最上端３４ｃ（図７）は、横材３５の最上端３５ｃ（図７）よりも低く形成されることを特徴とする。
【００１６】
本発明に従えば、排泄された尿は、横材３５の最上端３５ｃよりも低いほうの縦材３４の最上端３４ｃからその縦材３４の外側面に沿って移動しやすいので、縦に細長い透孔３６に薄膜３８を速やかに形成できる。
【００１７】
本発明の他の考え方によれば、前述の構成とは逆に、横材３５の最上端３５ｃを、縦材３４の最上端３４ｃよりも低く形成しても、透孔３６に薄膜３８を速やかに形成できる。
【００１８】
本発明のさらに他の考え方によれば、後述の実施の形態のとおり、縦材３４の最上端３４ｃは、横材３５の最上端３５ｃと仮想一平面内に形成されてもよい。
【００１９】
本発明は、図７に示されるとおり、
吸収体９８は下容器４に収容され、この下容器４は、
簀子３１を支持する下容器本体４１と、
吸収体９８を収容し、下容器本体４１に引き出し状に挿脱自在なトレー４２とを有し、
縦材３４は、トレー４２の挿脱方向８に延び、
少なくとも１つの縦材３４の逆アーチ部３７の最下端３７ａは、トレー４２の少なくとも移動範囲内で、横材３５の最下端３５ｄと同一または下方に位置することを特徴とする。
【００２０】
本発明に従えば、トレー４２の挿脱方向に延びる縦材３４の逆アーチ部３７の最下端３７ａは、トレー４２の少なくとも移動範囲内で、横材３５の最下端３５ｄと同一または下方に位置するので、トレー４２を下容器本体４１から引き出し方向６に引き出す操作時および下容器本体４１への挿入方向７の挿入操作時、トレー４２の上部、たとえば、後述の端壁５７もしくは後壁５８、またはトレー４２内の吸収体９８が、たとえ、縦材３４の逆アーチ部３７の最下端３７ａに接触などして干渉しても、その最下端３７ａ付近は縦の仮想鉛直面内で下に凸の丸みを帯びており、さらに最上端３７ｂはその丸みに連続するので、トレー４２の挿脱操作を円滑に行なうことができる。したがって、トレー４２が簀子３１の横材３５の最下端３５ｄに引っ掛かって挿脱操作が困難になったり、吸収体９８がトレー４２からはみ出て尿の吸収ができなくなる不都合はない。簀子３１は、動物の出入り、乗載の繰り返しによって、下方へ撓んで塑性変形しやすいが、そのような撓んだ状態になっても、前記不都合は生じない。
【００２１】
縦材３４は、その長手軸線がトレー４２の挿脱方向８に平行に延びてもよいが、直角以外の角度で延びてもよく、たとえば、挿脱方向８に対して４５°未満または３０°未満の角度を有していてもよい。
【００２２】
本発明は、図１９〜図２２に示されるとおり、
動物を乗載する簀子３１と、簀子３１の下方に配置される下容器４とを有し、
下容器４は、
簀子３１を支持する下容器本体４１と、
底板５４を有し、底板５４上で、簀子３１から落下する尿を吸収する吸収体９８を収容し、下容器本体４１に引き出し状に挿脱自在なトレー４２とを有する動物用トイレ１において、
下容器本体４１は、
トレー４２を挿脱する装着口４５を有する下周壁４３と、
その下周壁４３の下部に連なり、トレー４２を支持する底部４４とを有し、
底部４４とトレー４２とには、トレー４２を挿脱方向８に相互に凹凸嵌合して案内する案内部４８、６４が形成され、
底部４４の上面には、端部係止部４７、５０が形成され、
トレー４２の底板５４の下面には、トレー４２の装着状態で、底部４４の端部係止部４７、５０よりもトレー４２の挿入方向７の下流で、底部４４の端部係止部４７、５０の下流端４７ａ（図２１）、５０ａ（図２２）と係止する上流端６６ａ、６７ａを有する位置決め係止部６６、６７が形成され、
端部係止部４７、５０と位置決め係止部６６、６７との係止が、トレー４２の引き出し方向６の操作によって解除可能であることを特徴とする動物用トイレである。
【００２３】
本発明に従えば、下容器４の下容器本体４１の下周壁４３に形成される装着口４５からトレー４２を挿脱し、この挿脱移動時、トレー４２は、下容器本体４１の底部４４などに形成される一方の案内部４８とトレー４２の底板５４などに形成される他方の案内部６４とが、トレー４２の挿脱方向８に相互に凹凸嵌合して案内されて導かれ、挿脱方向８に対して垂直にずれることはなく、トレー４２は振動せず、安定して挿脱移動できる。
【００２４】
下容器本体４１の底部４４の上面に形成される、たとえば突起で実現されてもよい端部係止部４７、５０の下流端４７ａ、５０ａには、トレー４２の底板５４の下面に形成される位置決め係止部６６、６７の上流端６６ａ、６７ａが、トレー４２の装着状態で、係止する。これによって、トレー４２が下容器本体４１に挿入された状態が安定して保持される。したがって、下容器本体４１の簀子３１上で動物を乗載する空間３３に動物が出入りする際に振動などが生じても、トレー４２と下容器本体４１とが相対的に不所望に変位せず、トレー４２が下容器本体４１に挿入されたままに保たれる。
【００２５】
端部係止部４７、５０と位置決め係止部６６、６７との前記係止は、後述の実施の形態における突起の当接構造によって実現する。たとえば、位置決め係止部である各位置決め突起６６、６７は、トレー４２の挿入方向７の下流になるにつれて、上方に傾斜した傾斜面６６ｂ、６７ｂを有し、トレー４２の引き出し移動の開始時に、端部係止部である各端部突起４７、５０を摺動して乗り越えて前記係止が解除され、この位置決め突起６６、６７の傾斜面６６ｂ、６７ｂは、トレー４２の挿入操作時、端部突起４７、５０をその上流端から乗り上げる動作を容易にする。したがって、トレー４２の下容器本体４１への挿脱操作が容易になる。本発明の前記係止はまた、端部係止部４７、５０と位置決め係止部６６、６７とのいずれか一方である突起と、いずれか他方である溝、凹み、切欠き、隙間または穴などとの嵌合構造でもよく、その他のトレー４２の挿入方向７の上流への不所望な変位を、たとえば、動物の出入りなどによる振動の際、阻止する構造を含む。
【００２６】
本発明の実施の一形態では、底部４４の上面には、トレー４２の挿入方向７の上流と下流とに、端部係止部４７、５０がそれぞれ形成され、トレー４２の底板５４の下面には、トレー４２の装着状態で、底部４４の端部係止部４７、５０よりも前記下流で、底部４４の前記上流と前記下流との各端部係止部４７、５０の下流端４７ａ（図２１）、５０ａ（図２２）とそれぞれ係止する上流端６６ａ、６７ａを有する位置決め係止部６６、６７が形成され、端部係止部４７、５０と位置決め係止部６６、６７との前記係止が、トレー４２の引き出し方向６の操作によって解除可能である。
【００２７】
本発明に従えば、上流および下流の位置決め係止部６６（図２１）、６７（図２２）のうち、いずれか一方、たとえば、下流の位置決め突起６７（図２２）は設けられなくてもよい。
【００２８】
本発明は、図１９〜図２２に示されるとおり、
トレー４２は、
トレー４２の装着状態で、トレー４２の挿入方向７の上流で下容器本体４１の底部４４の端部係止部４７の上流端４７ｂに係止する停止係止部６８と、
トレー４２の挿入方向７の上流で底板５４から立ち上がって連なり、トレー４２の装着状態で下容器本体４１の下周壁４３の装着口４５を閉鎖し、装着口４５の内方へ凹んで形成される引き出し操作用把手５９を有する端壁５７とを有し、
下容器本体４１の下周壁４３には、装着口４５付近でトレー４２の端壁５７の上部で挿入方向７の下流端５７ａに当接して、それ以上の過度の挿入を制限する停止片６９が形成されることを特徴とする。
【００２９】
本発明に従えば、下容器本体４１の装着口４５からトレー４２を装着した状態で、トレー４２の停止係止部６８は、下容器本体４１の底部４４の上流の端部係止部４７の上流端４７ｂ（図２１）に係止し、トレー４２の端壁５７は、下容器本体４１の装着口４５を閉鎖する。トレー４２が挿入方向７に押し込まれて装着口４５内へ装着移動されるとき、トレー４２の端壁５７が装着口４５を閉じた状態となった後、さらに、トレー４２が過度に押し込まれると、端壁５７の下流端５７ａは、下容器本体４１の下周壁４３に垂下して形成される停止片６９と当接することができ、それ以上の挿入方向７の移動が阻止される。これによって、トレー４２および下容器本体４１の変形破損が防がれる。
【００３０】
トレー４２の装着完了時、下容器本体４１の端部係止部４７、５０とトレー４２の位置決め係止部６６、６７とが係止して、トレー４２が下容器本体４１に挿入されて装着された状態が安定して保持された状態で、トレー４２の端壁５７は、下容器本体４１の装着口４５を閉鎖する。このとき、端壁５７は、下容器本体４１の停止片６９に当接せず、停止片６９から引き出し方向６に離間する。トレー４２の装着状態では、トレー４２の停止係止部６８は、下容器本体４１の上流の端部係止部４７に係止する。下容器本体４１の上流の端部係止部４７は、その下流端４７ａ（図２１）がトレー４２の上流の位置決め係止部６６に係止し、その上流端４７ｂがトレー４２の停止係止部６８の下流端６８ａに当接し、これによって、装着口４５が端壁５７によって確実に閉鎖されるので、トレー４２の吸収体９８からの尿臭が装着口４５から漏れることはなく、本件トイレ１が設置される、たとえば、建物の室内が快適に維持される。
【００３１】
本発明の実施の他の形態では、トレー４２が押し込まれて装着口４５内へ装着移動される途中、トレー４２の端壁５７が装着口４５を閉じた状態となる前に、トレー４２の端壁５７の上部の構成要素（たとえば、図３４のリブ７０の上部の凹所７０ｃから挿入方向７下流で上方に傾斜した突部７０ｂ）と、下容器本体４１の下周壁４３に装着口４５付近に設けられるもう１つの構成要素（たとえば、後述の図３４に示される停止片６９）とが一時的に嵌合または係止した状態になるように構成される。これによって、トレー４２の装着完了の直前に、これらの構成要素の両者（図３４に示される停止片６９および突部７０ｂ）の一時的な嵌合または係止による衝突によって、操作者の手にクリック感を与えることができる。この構成において、トレー４２の端壁５７が装着口４５を閉じたトレー４２の装着完了状態では、これらの構成要素の両者である突部７０ｂ、さらに端壁５７の下流端５７ａ、リブ７０および停止片６９は、前述の嵌合または係止した状態を保たず、離間している。装着完了状態を保つために、トレー４２の下部と下容器本体４１の底部４４付近とにおいて、端部係止部４７、５０と位置決め係止部６６、６７との係止、および下容器本体４１の底部４４における端部係止部４７とトレー４２の停止係止部６８との係止の両者、少なくともいずれか一方の係止、またはその他の係止が、実現される。
【００３２】
本発明の実施のさらに他の形態では、停止片６９は、設けられなくてもよい。
【００３３】
トレー４２の引き出し操作用把手５９は、端壁５７に、装着口４５の内方へ凹んで形成され、たとえば、トレー４２の挿入方向７の上流で下方に膨出して形成されてもよく、こうして、下容器本体４１の端部係止部４７とトレー４２の位置決め係止部６６との係止、および下容器本体４１の停止片６９とトレー４２の端壁５７との係止を確実にする。
【００３４】
下容器本体４１の底部４４における端部係止部４７は、後述の実施の形態では、トレー４２の位置決め係止部６６と係止するとともに、停止係止部６８に係止するように共通な構成で実現されるが、本発明の考え方によれば、位置決め係止部６６と係止する端部係止部と、停止係止部６８に当接する端部係止部とは、下容器本体４１の底部４４において、別々に独立してそれぞれ構成されてもよい。
【００３５】
本発明は、図２３〜図２８に示されるとおり、
（ａ）動物が出入りする出入り口２３が形成されるカバー周壁２１を有するカバー２と、
（ｂ）上容器３であって、
動物を乗載する簀子３１と、
カバー周壁２１を支持し、簀子３１の外側方に連なり動物を乗載する空間３３をカバー周壁２１とともに形成する上周壁３２とを有する上容器３と、
（ｃ）下容器４であって、
上容器３が上方から嵌まり込んで上容器３を支持する下周壁４３を有し、
簀子３１から落下する尿を吸収する吸収体９８（図１５、１９、２０）を収容する下容器４とを有する動物用トイレにおいて、
（ｄ）下容器４の下周壁４３の上部８１（図２７、２８）に連なり、周方向にわたって外側方に延びる下支持部８２が形成され、
（ｅ）上容器３の上周壁３２の上部９１に連なり、周方向にわたって外側方に延び、下支持部８２上に載置され、下支持部８２の外周面８４ａを周方向にわたって露出する上支持部９２が形成され、
（ｆ）カバー周壁２１の下部１０１は、上支持部９２の外周面９４ａを周方向にわたって露出し、
カバー周壁２１の下部１０１にその左右外側方で、上周壁３２の上支持部９２よりも下方に延びる連結片１０４（図２５）が設けられ、
この連結片１０４には、第１連結部１０５が設けられ、
（ｇ）下周壁４３の上部８１に、第１連結部１０５に連結、離脱可能な第２連結部１０６が設けられることを特徴とする動物用トイレである。
【００３６】
本発明に従えば、動物用トイレ１を構成する３つの構成要素であるカバー２と、簀子３１を備える上容器３と、下容器４とを、たとえば、建物の室内などでの使用時および運搬時などで、組み立てた状態を保つために、カバー周壁２１の連結片１０４の第１連結部１０５と下容器４の下周壁４３の第２連結部１０６とが連結、離脱可能に設けられる。この組み立てた状態において、下容器４の下周壁４３の上部８１に連なる下支持部８２の外周面８４ａと、上容器３の上周壁３２の上部９１に連なる上支持部９２の外周面９４ａとの両者は、カバー周壁２１の下部１０１の下方で周方向にわたって外側方に露出したままで延びる。
【００３７】
したがって、動物用トイレ１の外方からは、左右外側方に設けてある第１および第２連結部１０５、１０６の連結状態を直接に目で見なくても、あるいは連結状態を見ることができない構造であっても、周方向にわたって外方でとても広い範囲で、下から上に順に、下支持部８２、上支持部９２、カバー周壁２１を明確に見ることができ、３つの構成要素２、３、４の完成した組み立て状態を確認することができる。これによって、３つの構成要素２、３、４の組み立て状態が不完全なままで動物の出入り時および使用時に、がたつきを生じることなどが防がれ、あるいは、両手で抱えて運搬中に、構成要素２、３、４の、たとえば、１つを誤って落下することなどが防がれる。
【００３８】
下支持部８２の外周面８４ａを露出する上支持部９２、および上支持部９２の外周面９４ａを露出するカバー周壁２１の下部１０１の前記露出は、連結片１０４および第１、第２連結部１０５、１０６付近以外の全周に連続する必要はなく、周方向にわたって部分的に、または間欠的、不連続で間隔をあけて、形成されてもよく、第１および第２連結部１０５、１０６が設けられる左右外側方だけでなく、本発明によれば、周方向にわたって外方でもっと広い範囲で連結状態を見ることができればよい。
【００３９】
上支持部９２の少なくとも外周面９４ａの色（たとえば、濃い茶色）を、その下の下支持部８２の外周面８４ａおよび上に配置されるカバー周壁２１の下部１０１の各色（たとえば、ベージュ）とは、異なるように選ぶことによって、組み立て状態を確認することがさらに容易になるようにしてもよい。
【００４０】
後述の実施の形態では、カバー周壁２１の連結片１０４の第１連結部１０５を連結孔１０５で実現し、下容器４の下周壁４３の第２連結部１０６を外側方に突出する連結突部１０６で実現し、両者１０５、１０６を嵌合して連結、離脱可能に構成してもよい。これによってもまた、連結孔１０５に嵌合して露出した連結突部１０６を、比較的狭い範囲からではあるが、明確に見ることができ、外方から嵌合連結状態を視認して、組み立て状態を直接に確認できる。
【００４１】
本発明の他の考え方によれば、たとえば、板状の連結片１０４の第１連結部１０５を、内側方に突出する爪状の掛合突起で実現し、下容器４の下周壁４３の第２連結部１０６を、外側方に突出するもう１つの爪状の掛合突起で実現し、両者１０５、１０６を掛合係合して連結、離脱可能に構成することもできる。この構成では、動物用トイレ１の左右両側部に設けられる第１および第２連結部１０５、１０６の両者の連結を外方から見て確認できないが、周方向の広い範囲にわたって、下支持部８２の外周面８４ａ、上支持部９２の外周面９４ａ、カバー周壁２１の下部１０１を明確に見ることができるので、３つの構成要素２、３、４の完成した組み立て状態を容易に確認できる。
【００４２】
本発明は、図２３〜図２９に示されるとおり、
下容器４の下支持部８２上に、上容器３の上支持部９２よりも内側方で立設され、上支持部９２の内側方への変位を制限する内制限突起８５が形成され、
上容器３の上支持部９２に、上支持部９２の内側方へ突出し、内制限突起８５の端面８５ａ、８５ｂに当接する前後制限突起１１１が形成され、
内制限突起８５と前後制限突起１１１との当接によって、上容器３と下容器４との前後方向の相互の変位が阻止されることを特徴とする。
【００４３】
本発明に従えば、下容器４の下支持部８２に立設される内制限突起８５は、上支持部９２の内側方への変位を制限し、これによって、下容器４の下支持部８２に上支持部９２が載置されることが確実になる。さらに、上容器３の上支持部９２の内側方へ突出した前後制限突起１１１は、内制限突起８５の側方に当接し、これによってもまた、上容器３と下容器４との前後方向の相互の変位が阻止され、下支持部８２に上支持部９２が載置されることが確実になる。したがって、上容器３は、その簀子３１上に動物が出入りする際、下容器４とずれることはなく、上容器３は振動せず、下容器４に対して安定して保持され、動物の排尿、排泄時の不安な心理を無くす。
【００４４】
本発明は、図２３〜図２９に示されるとおり、
上容器３の上支持部９２は、上周壁３２の上部９１とともに外側方に逆Ｕ字状に連なり、内制限突起８５を覆う連結部９３を介して形成され、
前後制限突起１１１は、上周壁３２の上部９１と連結部９３とを連結して固定されることを特徴とする。
【００４５】
本発明に従えば、上周壁３２は、その上部９１と外側方の連結部９３とによって下方に臨む位置決め用空間１１３を形成し、位置決め用空間１１３内で、いわば補強リブとして前後制限突起１１１が上部９１と外側方の連結部９３とを連結して固定されて強度が向上される。位置決め用空間１１３の下部内に、内制限突起８５が入り込むので、下支持部８２上に上支持部９２が載置されることが確実である。
【００４６】
本発明は、図２７に示されるとおり、
カバー周壁２１の下部１０１は、その下部１０１とともに内側方に逆Ｕ字状に連なる覆い部１１５によって、下方に臨む載置用空間１１６を形成し、この載置用空間１１６の内方に、載置用突部１０２を収容し、
載置用突部１０２は、カバー周壁２１の下部１０１と覆い部１１５とを連結して固定され、
載置用突部１０２またはカバー周壁２１の下端１０３のいずれか少なくとも一方が、上支持部９２上に載置されることを特徴とする。
【００４７】
本発明に従えば、カバー周壁２１には、その下部１０１と内側方の覆い部１１５とによって形成される載置用空間１１６で、それらの内面に、いわば補強リブとして載置用突部１０２が固定されて強度が向上される。載置用空間１１６の下部内に、上支持部９２が入り込むので、上支持部９２上に載置用突部１０２が載置されることが確実であり、カバー周壁２１と上支持部９２との側方の不所望なずれが防がれ、カバー２が上容器３に安定して保持される。
【００４８】
本件の動物用トイレ１において、載置用突部１０２が上支持部９２上に載置される前述の第１の構成に代えて、カバー周壁２１の下端１０３が上載置部９４上に載置される第２の構成でもよく、またはこれらの第１および第２の両者を同時に採用した第３の構成が実現されてもよい。さらにまた、第１、第２または第３の構成が、動物用トイレ１の周方向の各位置毎に選択的にそれぞれ実現されてもよい。
【００４９】
本発明は、図７に示されるとおり、
複数の縦材３４と複数の横材３５とが一体的に交差して透孔３６が形成され、
各透孔３６は、縦が横よりも長い、細長い形状を有し、
縦材３４は、下に凸の逆アーチ部３７が縦方向に繰返して連続して構成され、
各逆アーチ部３７の最下端３７ａは、横材３５の直下方にあり、
各逆アーチ部３７の最上端３７ｂは、縦方向に隣接する横材３５の間で、横材３５の最下端３５ｄよりも上方にあることを特徴とする簀子３１である。
【００５０】
本発明に従えば、水またはその他の液体の表面張力または毛管力を利用して、逆アーチ部３７の最下端３７ａに速やかに集めて大きな液滴に成長させて落下させるので、液体が簀子３１に残留したままにならない。こうして、水またはその他の液体の水切りを速やかに完了できる。簀子３１は、動物用トイレ以外の多くの技術分野で使用されることができる。
【００５１】
前記最下端３７ａの縦の位置は、透孔２３６の中央位置でもよいが、尿の排泄量の多い位置に選ばれてもよい。
【００５２】
本発明は、図３２、図３３に示されるとおり、
複数の縦材２３４と複数の横材２３５とが一体的に交差して透孔２３６が形成され、
各透孔２３６は、縦が横よりも長い、細長い形状を有し、
縦材２３４は、下に凸の逆アーチ部２３７が縦方向に繰返して連続して構成され、
各逆アーチ部２３７の最下端２３７ａは、縦方向に隣接する横材２３５の間で、横材２３５の下端２３５ｄよりも下方にあり、
各逆アーチ部２３７の最上端２３７ｂは、横材２３５の最下端２３５ｄに連なることを特徴とする簀子である。
【００５３】
本発明に従えば、尿は、透孔２３６に薄膜を形成し、前述と同じく、下降して、逆アーチ部２３７の最下端２３７ａに集まり、大きな滴状となり、速やかに落下する。
【００５４】
本発明は、図３２、図３３に示されるとおり、
透孔２３６を形成する縦材２３４の外側面間の幅Ｗ５は、前記最下端２３７ａに近づくにつれて小さくなることを特徴とする。
【００５５】
本発明に従えば、尿の薄膜は、透孔２３６の幅Ｗ５が小さい、縦の前記最下端２３７ａに近づいて移動して集まり、その最下端２３７ａで大きな滴状となり、速やかに落下する。
【００５６】
透孔２３６の幅Ｗ５が最小である縦の位置は、透孔２３６の中央位置でもよいが、尿の排泄量の多い位置に選ばれてもよい。
【００５７】
本発明は、図４１〜図４５のとおり、
動物を乗載する簀子３１と、簀子３１の下方に配置される下容器４とを有し、
下容器４は、
簀子３１を支持する下容器本体４１と、
底板５４を有し、底板５４上で、簀子３１から落下する尿を吸収する吸収体９８を収容し、下容器本体４１に引き出し状に挿脱自在なトレー４２とを有する動物用トイレにおいて、
下容器本体４１は、下周壁４３と、その下周壁４３の下部に連なり、トレー４２を支持する底部４４とを有し、
下周壁４３には、前後方向のほぼ中央に、凹部３１３が形成され、
凹部３１３の外面は、下周壁４３が、前後から中央になるにつれて、かつ、上下方向のほぼ中央から下方になるにつれて、左右方向の内方に凹んで、滑らかな湾曲面で形成され、
凹部３１３の上部は、前後方向の中央から前後になるにつれて、かつ、上方になるにつれて、左右側方に膨らんで、滑らかな湾曲面で形成されることを特徴とする動物用トイレである。
【００５８】
本発明によれば、凹部３１３の上部に手掛け部３１４が形成される。飼い主、作業者が、左右の手掛け部３１４の下面に両手の指先をそれぞれ掛けることによって、動物用トイレ１ｂの運搬が容易である。また下容器本体４１に凹部３１３が設けられるので、動物用トイレ１ｂに動物などによって衝撃力が作用しても、トレー４２の左右方向９の両側の凹部３１３によってトレー４２の左右方向９の変位が抑えられ、下容器本体４１内でトレー４２が横ぶれして左右方向９に大きく変位することが防がれる。
【００５９】
本発明は、トレー４２は、底板５４と、底板５４の上方に臨む底面の４方の周縁辺から、図３５の紙面にほぼ垂直に手前側に立ち上がって、矩形シート状の吸収体９８を収容する収容領域３３０を形成する周壁５５とを有し、平面視で４個所の隅部３３１〜３３４を有する挿入方向７に細長い矩形であり、
これらの隅部３３１〜３３４における底板５４と周壁５５とが交差する交差部は、尿などの排泄物および埃などの微細な異物が滞留しないように、外側方１２に凸に湾曲させた曲面によって構成されることを特徴とする。
【００６０】
本発明によれば、尿などの排泄部および埃などの微細な異物が滞留しないように、外側方に凸に湾曲させた、いわゆる面取り加工による曲面によって構成されてもよい。これによって残着した異物などの残着物による菌の繁殖が抑制され、衛生上の清浄度を向上することができる。
【００６１】
本発明は、周壁５５は、前壁５７ｂと、左右一対の側壁５６と、後壁５８とを有し、
前壁５７ｂは、トレー４２の挿入方向７の上流（すなわち、前方、図３５および図３６の左方）に形成され、左右方向（図３５および図３６では上下方向）に延び、
側壁５６は、前壁５７ｂに連なって形成され、挿入方向７に平行な前後の縦方向（図３５および図３６では左右方向）に延び、
後壁５８は、トレー４２の挿入方向７の下流（すなわち、後方、図３５および図３６の右方）で各側壁５６に連なって形成され、左右方向に延び、
前壁５７ｂの内壁面５７ｃは、中央寄り内壁面５７ｃ１と、隅部３３１、３３２における左右両端部付近の隅部内壁面５７ｃ２とを有し、底板５４の底面に連なる内壁面５７ｃの下端は、左右方向に一直線状に延び、
内壁面５７ｃの隅部３３１、３３２以外の部分である中間の中央寄り内壁面５７ｃ１は、図３８のとおり、トレー４２の底板５４の底面に対する角度α１で、底板５４の底面から上方になるにつれて収容領域３３０の外方（挿入方向７の上流）に、傾斜した平面であり、
隅部３３１、３３２の付近において、隅部内壁面５７ｃ２（図３６を参照）は、中央寄り内壁面５７ｃ１に滑らかに連なり、収容領域３３０の外方（挿入方向７の上流）に延びて、図３９のとおり、底面に対する角度θ（θ＞α１）が、左右の横方向の外方（図３６の上方向）になるにつれて大きい値に変化するように、収容領域３３０側、すなわち内側に凸に緩やかに湾曲して形成されることを特徴とする。
【００６２】
本発明は、側壁５６の内側面５６ａにおいて、内側面５６ａの底板５４の底面に連なる下端は、挿入方向７に平行に一直線状に延び、
内側面５６ａは、図４０のとおり、底面に対して角度α２（θ＞α２）で、底板５４の底面から上方になるにつれて収容領域３３０の外方（左右方向の外方、図３６の上方向）に、隅部３３１の付近の隅部内側面５６ａ１をも含めた縦方向の全長にわたって、傾斜した平面であり、
隅部内側面５６ａ１は、隅部内壁面５７ｃ２に連なり、前壁５７ｂの隅部内壁面５７ｃ２は、隅部内側面５６ａ１を含む内側面５６ａよりも左右方向の外方（図３６の上方）に延びていないことを特徴とする。
【００６３】
本発明は、下容器４は、下周壁４３におけの左右方向９の両側に、互い近接する方向に突出する一対の係止片３３７、３３８が設けられ、
トレー４２は、端壁５７と側壁５６との交差部に、各係止片３３７、３３８が当接する段差部３３５、３３６を有することを特徴とする。
【００６４】
本発明は、トレー４２の底板５４には、前後方向８に沿って平行に延びる左右一対の移動案内部３１１が、下方に突設され、
下容器本体４１の底部４４には、前後方向８に沿って平行に延びる左右一対の縦隆起部３０７が、上方に突設され、
各移動案内部３１１は、各縦隆起部３０７の外側方で相互に凹凸嵌合して、トレー４２の挿入方向７の移動範囲内で案内されることを特徴とする。
【図面の簡単な説明】
【００６５】
【図１】本発明の実施の一形態の動物用トイレ１の斜視図である。
【図２】動物用トイレ１の分解斜視図である。
【図３】簀子３１の一部の平面図である。
【図４】簀子３１の一部の底面図である。
【図５】簀子３１の上から見た斜視図である。
【図６】簀子３１の下から見た斜視図である。
【図７】図３における切断面線ＶＩＩ−ＶＩＩから見た簀子３１の断面図である。
【図８】図７における切断面線ＶＩＩＩ−ＶＩＩＩから見た、縦材３４の軸直角断面を明瞭に示すために、横材３５にハッチングを施さないで示す簀子３１の断面図である。
【図９】図７における切断面線ＩＸ−ＩＸから見た簀子３１の断面図である。
【図１０】排泄された尿が簀子３１上に流れて透孔３６を下降する状態を示す断面図である。
【図１１】縦材３４と横材３５によって形成される透孔３６を尿の薄膜３８が閉じてから下降して破裂し、落下する状態を示す平面図である。
【図１２】トレー４２の挿入方向７の下流における簀子３１の一部を示す断面図である。
【図１３】下容器４の下容器本体４１の上方から見た斜視図である。
【図１４】下容器４の下容器本体４１の下方から見た斜視図である。
【図１５】図１の切断面線ＸＶ−ＸＶから見た右下部分を示す動物用トイレ１の挿入方向７に垂直な横断面図である。
【図１６】トレー４２の挿入方向７の上流の一部を示す斜視図である。
【図１７】トレー４２の挿入方向７の下流の一部を示す斜視図である。
【図１８】トレー４２を上下にひっくり返して見た斜視図である。
【図１９】図１の切断面線ＸＩＸ−ＸＩＸから見た動物用トイレ１の挿入方向７に沿う上流の一部の縦断面図である。
【図２０】図１の切断面線ＸＩＸ−ＸＩＸから見た動物用トイレ１の挿入方向７に沿う下流の一部の縦断面図である。
【図２１】図１９の下容器本体４１の底部４４に設けられた挿入方向７の上流の端部突起４７付近の拡大断面図である。
【図２２】図２０の下容器本体４１の底部４４に設けられた挿入方向７の下流の端部突起５０付近の拡大断面図である。
【図２３】カバー２と上容器３と下容器４とを組み立てた状態で連結する連結構造８０を、その構造の理解の便宜のために、上容器３の上載置部９４とその付近を省略して示す動物用トイレ１の右側面図である。
【図２４】連結構造８０の分解斜視図である。
【図２５】図２３の切断面線ＸＸＶ−ＸＸＶから見た連結構造８０を示す断面図である。
【図２６】図２３の切断面線ＸＸＶＩ−ＸＸＶＩから見た連結構造８０を示す断面図である。
【図２７】図２３の切断面線ＸＸＶＩＩ−ＸＸＶＩＩから見た連結構造８０を示す断面図である。
【図２８】図２３の切断面線ＸＸＶＩＩＩ−ＸＸＶＩＩＩから見た連結構造８０を示す断面図である。
【図２９】動物用トイレ１の連結構造８０付近におけるカバー周壁２１の下部１０１と、それに連なる連結片１０４と、上容器３の上支持部９２の連結部９３などとを切り欠いて省略して示す一部の右側方から見た断面図である。
【図３０】図３０は動物用トイレ１のために使用されるスコップ１２０の上から見た斜視図である。
【図３１】図３０のスコップ１２０の下から見た斜視図である。
【図３２】本発明の実施の他の形態における簀子２３１の一部の平面図である。
【図３３】図３２の実施の形態における切断面線ＸＸＸＩＩＩ−ＸＸＸＩＩＩから見た簀子２３１の断面図である。
【図３４】本発明の実施のさらに他の形態における前述の図１９に対応する動物用トイレ１の挿入方向７に沿う上流の一部の縦断面図である。
【図３５】本発明の実施のさらに他の形態の動物用トイレ１ａに用いられる下容器４の平面図である。
【図３６】図３５に示される下容器４の１つの隅部３３１付近の拡大平面図である。
【図３７】図３５に示される下容器４の１つの隅部３３１付近を挿入方向７の上流から見た斜視図である。
【図３８】図３６の切断面線ＸＸＸＶＩＩＩ−ＸＸＸＶＩＩＩから見た断面図である。
【図３９】図３６の切断面線ＸＸＸＩＸ−ＸＸＸＩＸから見た断面図である。
【図４０】図３６の切断面線ＸＬ−ＸＬから見た断面図である。
【図４１】本発明の実施のさらに他の形態の動物用トイレ１ｂの下容器４ｂを示す一部の拡大断面図である。
【図４２】図４１のセクションＸＬＩＩの拡大図である。
【図４３】図４１の動物用トイレ１ｂを右斜め下から見た外観を示す斜視図である。
【図４４】図４１の動物用トイレ１ｂを正面側の左斜め上から見た外観を示す斜視図である。
【図４５】図４３の切断面線ＸＬＶ−ＸＬＶから見た拡大断面図である。
【図４６Ａ】トレー４２が下容器本体４１から引出された下容器４を正面側の左斜め上から見た斜視図である。
【図４６Ｂ】トレー４２が下容器本体４１から引出された下容器４ｂを左斜め上から見た斜視図斜視図である。
【図４７】トレー４２の１つの隅部３３１付近を拡大した斜視図である。
【図４８】トレー４２の１つの隅部３３１付近を上方から見た拡大平面図である。
【図４９】下容器本体４１にトレー４２が装着された下容器４を斜め上から見た斜視図である。
【図５０】隅部３３１付近を拡大した平面図である。
【図５１】隅部３３１およびその近傍を部分的に切欠いた断面図である。
【図５２】隅部３３１付近を挿入方向７の上流から見た拡大図である。
【図５３】本発明の実施のさらに他の形態の動物用トイレ１ｃを示す平面図である。
【図５４】動物用トイレ１ｃの下容器４ｃの一部を示す平面図である。
【図５５】動物用トイレ１ｃの側面図である。
【図５６】図５３の切断面線ＬＶＩ−ＬＶＩから見た動物用トイレ１ｃの断面図である。
【図５７】動物用トイレ１ｃの正面図である。
【図５８】図５３の切断面線ＬＶＩＩＩ−ＬＶＩＩＩから見た動物用トイレ１ｃの断面図である。
【図５９】動物用トイレ１ｃの斜視図である。
【図６０】図５７の切断面線ＬＸ−ＬＸから見た動物用トイレ１ｃの挿入方向７に沿う上流の一部の拡大断面図である。
【図６１】下容器本体４１の平面図である。
【図６２】下容器本体４１の正面図である。
【図６３】下容器本体４１の底面図である。
【図６４】下容器本体４１の背面図である。
【図６５】下容器本体４１の側面図である。
【図６６】図６１の切断面線ＬＸＶＩ−ＬＸＶＩから見た下容器本体４１の断面図である。
【図６７】下容器本体４１を右斜め上から見た斜視図である。
【図６８】下容器本体４１を底面側から見た斜視図である。
【図６９】トレー４２の平面図である。
【図７０】トレー４２の正面図である。
【図７１】トレー４２の底面図である。
【図７２】トレー４２の背面図である。
【図７３】トレー４２の正面図である。
【図７４】図６９の切断面線ＬＸＸＩＶＩ−ＬＸＸＩＶから見たトレー４２の断面図である。
【図７５】図６９の切断面線ＬＸＸＶ−ＬＸＸＶから見たトレー４２の断面図である。
【図７６】トレー４２を右斜め上から見た斜視図である。
【図７７】トレー４２を下方から見た斜視図である。
【発明を実施するための形態】
【００６６】
図１は本発明の実施の一形態の動物用トイレ１の斜視図であり、図２は動物用トイレ１の分解斜視図である。これらの図面を参照して、動物用トイレ１は基本的に、カバー２と、上容器３と、下容器４とを含む。カバー２は、上部が開口したカバー周壁２１と、内向きカバー部２２とを有する。内向きカバー部２２は、猫などの動物が出入りする出入り口２３を形成する。上容器３は、動物を乗載する簀子３１と、簀子３１を支持する上周壁３２とを有し、上周壁３２は、動物を乗載する空間３３をカバー周壁２１とともに形成する。下容器４は、簀子３１を有する上容器３を支持する下容器本体４１と、簀子３１から落下する尿を吸収する吸収体９８（図１８、図１９）を収容し、下容器本体４１に引き出し状に挿脱自在なトレー４２とを有する。これらのカバー２と、上容器３と、下容器４とは、合成樹脂の射出成形によって、それぞれ製造される。
【００６７】
トレー４２の下容器本体４１からの引き出し方向６と、挿入方向７とをまとめて、挿脱方向８、または前後方向ということがある。引き出し方向６、挿入方向７をそれぞれ前、後ということがある。引き出し方向６の上流である前から見て左右方向９という。動物を乗載する空間３３内へ向かう方向を内側方１１と呼び、その空間３３から外へ向かう方向を外側方１２と呼ぶ。上下、左右、水平などは、本件動物用トイレ１を、簀子３１の上面が水平となる使用状態における方向をいう。
【００６８】
図３は簀子３１の一部の平面図であり、図４は簀子３１の一部の底面図であり、図５は簀子３１の上から見た斜視図であり、図６は簀子３１の下から見た斜視図である。簀子３１は、複数の縦材３４と複数の横材３５とが一体的に交差して透孔３６が形成される。縦材３４の軸線は、挿脱方向８に平行であり、横材３５の軸線は、挿脱方向８に垂直な左右方向に平行である。各透孔３６は、平面視で、縦が横よりも長い、細長い形状を有する同一形状であり、長方形でもよいが、その他の形状でもよく、たとえば、後述の図３２、図３３のように、縦の中央位置２３６ｂに近づくにつれて小さくなるつづみ状であってもよい。透孔３６は、敷設された粒状の排泄物処理材が通り抜けずに落下しない寸法、形状を有する。簀子３１を構成する縦材３４の数と横材３５の数は異なっても、同じでもよい。
【００６９】
図７は図３における切断面線ＶＩＩ−ＶＩＩから見た簀子３１の断面図である。縦材３４の下端は、下に凸の逆アーチ部３７が挿脱方向８に沿う縦に繰返して連続して構成される。逆アーチ部３７は、下に凸の大きな半径の円弧状に形成され、縦に隣接する横材３５間の距離を１周期として繰返して連続する形状を有する。各横材３５の軸直角断面は、その軸線方向（図３および図４の紙面の上下方向、図７の紙面に垂直方向）に一様であり、同一である。各逆アーチ部３７の最下端３７ａは、横材３５の直下方に配置される。各逆アーチ部３７の最上端３７ｂは、縦方向に隣接する横材３５の間の中央位置で、横材３５の最下端３５ｄよりも上方にある。逆アーチ部３７の最下端３７ａは、横材３５の最下端３５ｄと同一位置にあってもよく、横材３５は、逆アーチ部３７の最下端３７ａと最上端３７ｂとを含む下端よりも下方に突出することはない。最上端３７ｂは、上に凸の小さな半径の円弧状に形成される。したがって、逆アーチ部３７の下端は、簀子３１の上面が水平となるように設置されたとき、挿脱方向８に延びる仮想鉛直面内で滑らかな曲線で連続するので、トレー４２および吸収体９８の上端に接触しても、トレー４２の挿脱操作が円滑であり、逆アーチ部３７の下端とトレー４２および吸収体９８の上端とが引っ掛かって挿脱操作が困難になることはない。
【００７０】
猫などの動物から排泄された尿は、簀子３１上の排泄物処理材を経て簀子３１上に流れ、各透孔３６の上部でその全面に拡がった、たとえば、長方形である薄い尿の液体膜を形成し、その薄膜は、透孔３６を閉じる。尿の薄膜は、縦材３４と横材３５の透孔３６に臨む外側面に接触しながら、透孔３６を閉じたままで下降してゆく。薄膜が下降して落下する動作は、図１０および図１１を参照して、後述する。薄膜は、それが形成されることによって尿の落下を遅らせるが、本件実施の形態によれば、落下の遅れを抑えることができる。
【００７１】
図８は、図７における切断面線ＶＩＩＩ−ＶＩＩＩから見た簀子３１の断面図であり、図８では、縦材３４の軸直角断面を明瞭に示すために、横材３５にハッチングを施さないで示す。図９は、図７における切断面線ＩＸ−ＩＸから見た簀子３１の断面図である。縦材３４の軸直角断面は、外側面がなめらかに連なる上部分３４ａと下部分３４ｂとを有する。上部分３４ａの幅Ｗ１は、上になるにつれて狭く形成される上に凸の形状を有する。下部分３４ｂの幅Ｗ２は、下になるにつれて狭く形成される下に凸の形状を有する。排泄された尿は、上部分３４ａの外側面に沿って円滑に速やかに流下する。さらに、下部分３４ｂでは、透孔３６を形成する両縦材３４の外側面間の横（図８、図９の左右方向）の距離が、下になるにつれて大きくなるので、透孔３６を閉じている薄膜が破裂しやすくなり、その破裂後の尿が、縦材３４の外側面に沿って下降しやすくなり、円滑に速やかに流下する。
【００７２】
横材３５に関してもまた、軸直角断面の外側面がなめらかに連なる上部分３５ａと下部分３５ｂとを有し、上部分３５ａの幅Ｗ３が、上になるにつれて狭く形成される上に凸の形状を有し、下部分３５ｂの幅Ｗ４が、下になるにつれて狭く形成される下に凸の形状を有する。これによって、透孔３６を閉じている薄膜が破裂しやすくなり、その破裂後の尿が、縦材３４および横材３５の外側面に沿って下降しやすくなり、円滑に速やかに流下する。
【００７３】
透孔３６の端部の内周面、および縦材３４と横材３５との交差部分の表面などは、丸みを帯びて形成され、たとえば、図３、４および図７〜１０の仮想線のとおりであり、角ばっていないので、付着した動物の排泄物の除去掃除が容易である。
【００７４】
縦材３４の最上端３４ｃは、横材３５の最上端３５ｃと仮想一平面内に形成される。本発明の実施の他の形態では、縦材３４の最上端３４ｃは、横材３５の最上端３５ｃよりも低く形成される。これによって、排泄された尿は、横材３５の最上端３５ｃよりも低いほうの縦材３４の最上端３４ｃからその縦材３４の外側面に沿って移動しやすいので、縦に細長い透孔３６に導いて、薄膜を速やかに形成できる。本発明の実施のさらに他の形態では、前述の構成とは逆に、横材３５の最上端３５ｃを、縦材３４の最上端３４ｃよりも低く形成しても、排泄された尿を透孔３６に導いて、薄膜を速やかに形成できる。
【００７５】
本件発明者の実験によれば、前述の実施の形態において、透孔３６は、たとえば、縦Ａは２３ｍｍ、横Ｂは３ｍｍであり、Ａ／Ｂの比は、２倍以上、好ましくは、５〜１１倍であり、さらに好ましくは、８．５〜９．５倍であり、縦材３４の最上端３４ｃと逆アーチ部３７の最上端３７ｂとの距離Ｃは、たとえば、５ｍｍであり、Ｃ／Ｂの比は、好ましくは、１〜３倍であり、さらに好ましくは、１〜２倍であってもよい、これによって、縦材３４と横材３５とによって規定される透孔３６の薄膜３８を抑制して、尿の落下を促進できる。
【００７６】
図１０は排泄された尿が簀子３１上に流れて透孔３６を下降する状態を示す断面図であり、図１１（１）〜（６）は縦材３４と横材３５によって形成される透孔３６を尿の薄膜３８が閉じてから下降して破裂し、落下する状態を示す平面図である。図１０には、透孔３６に形成される尿の薄膜３８を、上から下に、仮想線に参照符３８ａ〜３８ｅを付して示す。図１１（１）のとおり、薄膜３８ａは、動物が排泄した尿が透孔３６を閉じている。尿は、縦材３４と横材３５の透孔３６に臨む外側面に接触しながら、透孔３６を閉じたままで縦材３４と横材３５の透孔３６に臨む外側面に接触しながら、下降して図１１（２）のとおり、薄膜３８ｂを経て、さらに、薄膜３８ｃは逆アーチ部３７の最上端３７ｂに到達する。
【００７７】
薄膜３８ｃが逆アーチ部３７の最上端３７ｂに到達し、その最上端３７ｂを経て下降することによって、縦材３４の透孔３６に臨む外側面から、縦の中央位置付近で離間し、透孔３６内で縦（図１１（３）の左右方向）に分断されて破裂し、小さな亀裂３９ｃを生じる。逆アーチ部３７の最上端３７ｂは、縦方向に隣接する横材３５の間で、横材３５の最下端３５ｄよりも上方にあるので、薄膜３８ｂは、透孔３６を閉じたまま下降して、逆アーチ部３７の最上端３７ｂに到達して、透孔３６の縦の、たとえば中央位置で、亀裂３９ｃを生じさせることができ、縦の両側へ尿の等量を分配して流下することができる。このことによっても、尿の落下速度を促進できる。
【００７８】
薄膜３８ｃが下降して薄膜３８ｄから薄膜３８ｅの位置になるにつれて、亀裂３９ｃは、亀裂３９ｄ（図１１（４））から亀裂３９ｅ（図１１（５））のとおり、縦に次第に大きく分断されてゆく。その後、図１１（６）のとおり、透孔３６から尿の薄膜３８が消失し、尿は、縦材３４の外側面に沿って流下し、縦材３４における下に凸の円弧を描く下端である逆アーチ部３７に集められて逆アーチ部３７の最下端３７ａに向かって移動して集められ、その最下端３７ａから大きな液滴となってトレー４２上の吸収体９８に落下して吸収される。
【００７９】
逆アーチ部３７をその最下端３７ａに向かって移動する尿の単位移動量あたりの体積は、下方になるにつれて大きくなるので、縦材３４の逆アーチ部３７および縦材３４の外側面上の尿を、表面積を減らそうとする大きな表面張力または毛管力で、下方に引き寄せる。こうして、簀子３１上に排泄された尿は、透孔３６に薄膜３８を形成しても、尿の表面張力または毛管力を利用して、逆アーチ部３７の最下端３７ａに速やかに集めて大きな液滴に成長させて落下させることができる。したがって、尿が簀子３１に残留したままにならず、動物用トイレ１とその周囲とを清潔に保ち、尿臭の発生を抑制することができる。
【００８０】
図１２は、トレー４２の挿入方向７の下流における簀子３１の一部を示す断面図である。簀子３１は、多数の透孔３６を形成する縦材３４と横材３５との全体が外枠７１によって一体的に外囲されて構成される。簀子３１は、トレー４２が下容器本体４１に装着されている状態で、トレー４２に配置された吸収体９８の直上にある。
【００８１】
外枠７１は、左右方向９の両側の縦部７２と、挿入方向７の上下流の横部７３とから成り、上容器３の上周壁３２の下部に一体的に連なる。縦材３４の逆アーチ部３７の最下端３７ａは、外枠７１の下端７４および横材３５の最下端３５ｄよりも下方に位置する。これによって、トレー４２を下容器本体４１から引き出す操作時および下容器本体４１への挿入時である挿脱操作時、トレー４２の上部またはトレー４２内の吸収体９８が、たとえ、縦材３４の逆アーチ部３７の最下端３７ａに接触などして干渉しても、トレー４２の挿脱操作を円滑に行なうことができ、トレー４２が簀子３１の下端の、たとえば、横材３５に引っ掛かって操作が困難になることはない。
【００８２】
前述の実施の形態では、全ての縦材３４の逆アーチ部３７の最下端３７ａが、外枠７１の下端７４および横材３５の全ての最下端３５ｄよりも下方に位置するが、本発明の実施の他の形態では、一部の数の縦材３４の最下端３７ａが、外枠７１の下端７４および横材３５の全ての最下端３５ｄよりも下方に位置するように構成してもよく、前記一部の数の縦材３４は、補強のために、たとえば、横の中央に配置される１または複数の縦材３４であってもよい。
【００８３】
本発明の実施の他の形態では、逆アーチ部３７の最上端３７ｂの、透孔３６の縦における位置を、動物からの尿の排泄量が多い個所寄りに設定することによって、各透孔３６において最上端３７ｂに関して縦の両側への尿の等量を分配するようにして、尿の落下速度を促進するようにしてもよい。
【００８４】
本発明の実施のさらに他の形態では、図７〜図９における縦材３４と横材３５とのいずれか一方の軸直角断面が前述と同じく、上部分と下部分とを有し、上部分の幅Ｗ１、Ｗ３が、上になるにつれて狭く形成される上に凸の形状を有し、下部分の幅Ｗ２、Ｗ４が、下になるにつれて狭く形成される下に凸の形状を有するように構成され、いずれか他方の上部分または下部分の外側面の幅Ｗ１、Ｗ３：Ｗ２、Ｗ４は、上下方向に一様であってもよく、または他の断面形状でもよい。
【００８５】
図１３は下容器４の下容器本体４１の上方から見た斜視図であり、図１４は下容器４の下容器本体４１の下方から見た斜視図である。下容器本体４１は、下周壁４３と、その下周壁４３の下部に連なり、トレー４２を支持する底部４４とを有する。下周壁４３は、トレー４２を挿脱する装着口４５を有する。
【００８６】
図１５は、図１の切断面線ＸＶ−ＸＶから見た右下部分を示す動物用トイレ１の挿入方向７に垂直な横断面図である。図１５において、動物用トイレ１は、挿入方向７に平行な対称面４６に関して左右対称に構成される。
【００８７】
図１３〜図１５を参照して、底部４４には、トレー４２の挿入方向７の上流で装着口４５の下部を形成して底部４４の上面から隆起する上流の端部係止部である端部突起４７が形成される。底部４４上には、挿入方向７に沿って平行に延びる左右方向９に一対の縦案内部４８と、挿入方向７の上流に配置される横案内部４９と、挿入方向７の下流に配置される下流の端部係止部である端部突起５０とが、矩形の底穴５１のまわりに枠状に隆起して、それらの上面が仮想一平面内あり、扁平に形成される。
【００８８】
図１６はトレー４２の挿入方向７の上流の一部を示す斜視図であり、図１７はトレー４２の挿入方向７の下流の一部を示す斜視図であり、図１８はトレー４２を上下にひっくり返して見た斜視図である。トレー４２は、底板５４と、その底板５４から立ち上がって外囲する周壁５５とを有する。周壁５５は、簀子３１の外枠７１の縦部７２よりも外側方で挿入方向７に沿って平行に延びる左右方向９に一対の側壁５６と、トレー４２の挿入方向７の上流で底板５４から立ち上がって連なる端壁５７と、トレー４２の挿入方向７の下流で底板５４から立ち上がって連なる後壁５８とを有する。端壁５７は、トレー４２の下容器本体４１への装着状態で、下周壁４３の装着口４５を閉鎖する。端壁５７は、引き出し操作用把手５９を有する。この把手５９は、装着口４５の内方へ凹んで形成され、手の指を引っ掛けるために引き出し方向６の上流で下方に膨出した突部６１を有する。吸収体９８は、周壁５５によって囲まれた底板５４上に収容される。収容される吸収体９８の取扱い操作を容易にするために、端壁５７と後壁５８とには、挿入方向７の上流および下流に凹んだ凹所６２、６３がそれぞれ形成される。
【００８９】
トレー４２の底板５４には、挿入方向７に沿って平行に延びる左右方向９に一対の移動案内部６４が突設され、この移動案内部６４は、下容器本体４１の底部４４の縦案内部４８に、その外側方で相互に凹凸嵌合して、トレー４２の挿入方向７の移動範囲内で、案内される。挿脱移動時、トレー４２の移動案内部６４が下容器本体４１の底部４４の縦案内部４８にトレー４２の挿脱方向８に相互に凹凸嵌合して案内されて導かれ、挿脱方向８の垂直にずれることはなく、トレー４２は振動せず、安定して挿脱移動できる。
【００９０】
底板５４の下面は、底部４４上の縦案内部４８と、横案内部４９と、端部突起５０とに面接触して支持され、移動案内部６４の下方への突設高さは、縦案内部４８の高さ未満であり、したがって、移動案内部６４の下端は、底部４４の上方にある。移動案内部６４は、挿入方向７の両端部が低くなるように傾斜して形成され、これによって、トレー４２の挿脱時、下容器本体４１の端部突起４７上を円滑に乗り越えて操作を容易にする。
【００９１】
図１９は図１の切断面線ＸＩＸ−ＸＩＸから見た動物用トイレ１の挿入方向７に沿う上流の一部の縦断面図であり、図２０は図１の切断面線ＸＩＸ−ＸＩＸから見た動物用トイレ１の挿入方向７に沿う下流の一部の縦断面図である。図１８をも参照して、トレー４２の底板５４の下面には、挿入方向７の上流と下流との位置決め係止部である位置決め突起６６、６７が、左右方向９に対を成して、それぞれ形成される。
【００９２】
図２１は図１９の下容器本体４１の底部４４に設けられた挿入方向７の上流の端部突起４７付近の拡大断面図である。トレー４２の装着状態では、位置決め突起６６は、下容器本体４１の底部４４に設けられた端部突起４７よりも挿入方向７の下流に位置し、位置決め突起６６の図２１における左方に臨む上流端６６ａは、底部４４の端部突起４７の図２１における右方に臨む下流端４７ａと係止し、実質的に当接する。
【００９３】
図２２は図２０の下容器本体４１の底部４４に設けられた挿入方向７の下流の端部突起５０付近の拡大断面図である。トレー４２の装着状態では、位置決め突起６７は、下容器本体４１の底部４４に設けられた端部突起５０よりも挿入方向７の下流に位置し、位置決め突起６７の図２２における左方に臨む上流端６７ａは、底部４４の端部突起５０の図２２における右方に臨む下流端５０ａと係止し、実質的に当接する。
【００９４】
このような端部突起４７、５０と位置決め突起６６、６７との各係止によって、トレー４２が下容器本体４１に挿入された状態が安定して保持される。したがって、下容器本体４１の簀子３１上で動物を乗載する空間３３に動物が出入りする際に振動などが生じても、下容器本体４１とトレー４２とが相対的に不所望に変位せず、トレー４２が下容器本体４１に挿入されたままに保たれる。これによって、装着口４５が端壁５７によって閉じられたままとなり、尿臭の漏れが防がれる。
【００９５】
上流の位置決め突起６６は、トレー４２の挿入方向７の下流になるにつれて、上方に傾斜した傾斜面６６ｂを有する。これによって、トレー４２の挿入時に、端部突起４７の上面を摺動して乗り越えて、図１９、図２１のように係止される。また、下流の位置決め突起６７は、トレー４２の挿入方向７の下流になるにつれて、上方に傾斜した傾斜面６７ｂを有する。これによって、トレー４２の挿入時、端部突起４７、横案内部４９、端部突起５０の上面を摺動して乗り越えて、図２０、図２２のように端部突起５０と係止される。この位置決め突起６６，６７の傾斜面６６ｂ、６７ｂは、トレー４２の挿入操作時、端部突起４７、５０をその下流端４７ａ、５０ａから乗り上げる動作を容易にする。
【００９６】
トレー４２の引き出し移動の開始時に、把手５９をわずかに持ち上げることによって、上流の位置決め突起６６は、端部突起４７を乗り越えて、その傾斜面６６ｂが摺動して端部突起４７の下流端４７ａと位置決め突起６６の上流端６６ａとの係止が解除される。下流の位置決め突起６７は、端部突起５０を乗り越えて、その傾斜面６６ｂが摺動して端部突起５０の下流端５０ａと位置決め突起６７の上流端６７ａとの係止が解除され、さらに横案内部４９および端部突起４７をこの順序で乗り越えて摺動する。したがって、トレー４２の下容器本体４１への挿脱操作が容易である。
【００９７】
再び図１９および図２１を参照して、トレー４２は、底板５４に連なって挿入方向７の上流寄りで停止突起６８を有し、この停止突起６８は、トレー４２の装着のための移動時、トレー４２の挿入方向７の下流端６８ａが、下容器本体４１の底部４４の端部突起４７の上流端４７ｂに当接して、下流への移動が制限され、装着状態になる。底板５４から停止突起６８を経て端壁５７が立ち上がる。下容器本体４１の下周壁４３に、装着口４５付近で垂下して形成される停止片６９は、装着状態では、トレー４２の端壁５７の上部における挿入方向７の下流端５７ａと離間している。トレー４２の移動操作中、トレー４２の端壁５７が装着口４５を閉じて、さらに、挿入方向７に過度に押し込まれると、停止片６９は、トレー４２の端壁５７の下流端５７ａに当接して、トレー４２の下流への移動を制限し、トレー４２の過度な変形を防いで、下容器本体４１およびトレー４２の破損を防ぎ、耐久性が向上される。端壁５７の下流端５７ａは、リブ７０によって補強される。リブ７０の上端７０ａは、挿入方向７の下流になるにつれて下方に傾斜し、停止片６９から下方に離間し、接触しない。
【００９８】
こうして、下容器本体４１の装着口４５からのトレー４２の装着状態では、下容器本体４１の各端部突起４７、５０の下流端４７ａ、５０ａとトレー４２の各位置決め突起６６、６７の上流端６６ａ、６７ａとがそれぞれ係止、当接し、このとき、トレー４２の停止突起６８の下流端６８ａは、下容器本体４１の底部４４の上流の端部突起４７の上流端４７ｂに係止、当接し、トレー４２の端壁５７は、下容器本体４１の装着口４５を閉鎖する。したがって、トレー４２が下容器本体４１に挿入されて装着された状態が安定して保持されるので、トレー４２の吸収体９８からの尿臭が装着口４５から漏れることはなく、本件トイレ１が設置される、たとえば、建物の室内が快適に維持される。
【００９９】
本発明の実施の他の形態では、トレー４２の装着状態で、前述の下容器本体４１の各端部突起４７、５０の下流端４７ａ、５０ａとトレー４２の各位置決め突起６６、６７の上流端６６ａ、６７ａとがそれぞれ当接せず、わずかな間隔をあけた構成であってもよく、このとき、トレー４２の停止突起６８の下流端６８ａも、下容器本体４１の底部４４の上流の端部突起４７の上流端４７ｂに当接せず、わずかな間隔をあけた構成であってもよく、用語「係止」は、このような構成も含む。これによって、トレー４２の吸収体９８からの尿臭が装着口４５から実質的に漏れることはなく、しかも、猫の使用時の出入りによって、または体重によって、トレー４２が傾いたり変位、変形しても、係止は保たれ、トレー４２が下容器本体４１から引き出し方向６へ不所望に出てきてしまうことを防ぐことができる。
【０１００】
図２３はカバー２と上容器３と下容器４とを組み立てた状態で連結する連結構造８０を、その構造の理解の便宜のために、上容器３の上載置部９４とその付近を省略して示す動物用トイレ１の右側面図であり、図２４は連結構造８０の分解斜視図である。カバー２と上容器３と下容器４とから成る３つの構成要素２、３、４は、動物用トイレ１を構成し、たとえば、建物の室内などでの使用時および運搬時などで、組み立てた状態を分解可能に保つ。
【０１０１】
図２５は図２３の切断面線ＸＸＶ−ＸＸＶから見た連結構造８０を示す断面図であり、図２６は図２３の切断面線ＸＸＶＩ−ＸＸＶＩから見た連結構造８０を示す断面図であり、図２７は図２３の切断面線ＸＸＶＩＩ−ＸＸＶＩＩから見た連結構造８０を示す断面図であり、図２８は図２３の切断面線ＸＸＶＩＩＩ−ＸＸＶＩＩＩから見た連結構造８０を示す断面図である。下容器４の下容器本体４１の下周壁４３には、その上部８１に連なって周方向にわたって外側方に延びる下支持部８２が形成される。下支持部８２は、上部８１から外側方に水平に延びる下載置部８３と、下載置部８３の外側部から垂下した補強片８４とを有する。上容器３の上周壁３２には、その上部９１に連なって周方向にわたって外側方に延びる上支持部９２が形成される。上支持部９２は、上部９１から垂下する連結部９３と、連結部９３から外側方に水平に延びる上載置部９４とを有し、上載置部９４は下載置部８３上に載置される。連結部９３は、上周壁３２の上部９１から外側方に連なって水平に延びる頂部９３ａを有する。
【０１０２】
カバー周壁２１の下部１０１は、内側方（図２５の左方）に突出して上容器３の上支持部９２の頂部９３ａ上に載置される載置用突部１０２を有する。カバー周壁２１の下端１０３は、上支持部９２の上載置部９４の外周面９４ａ、およびさらに下方の補強片８４の外周面８４ａを露出する。カバー周壁２１の下部１０１にその左右外側方で、上周壁３２の上支持部９２（図２７）よりも下方に延びる連結片１０４（図２５）が設けられる。この連結片１０４には、第１連結部である連結孔１０５が設けられる。下周壁４３の上部８１には、外側方に隆起した隆起部１０８が形成される。この隆起部１０８には、連結孔１０５に嵌合したり外したりして連結、離脱可能な第２連結部である連結突部１０６が形成される。連結突部１０６は、その下方に突出する突片１０６ａを有し、連結孔１０５の下縁との引っ掛かりを確実にする。連結突部１０６の外側面１０６ｂは、下方になるにつれて外側方に延びて傾斜し、連結孔１０５への容易な嵌合を案内する。連結片１０４の自然状態では、図２５のように連結孔１０５に連結突部１０６が嵌合して連結されている。連結片１０４の下部を、その連結片１０４の合成樹脂の内側方への弾発力に抗して、図２５の矢符１０７の方向に指で変位することによって、連結孔１０５から連結突部１０６を外して、本件動物用トイレ１を、３つの構成要素であるカバー２、上容器３、下容器４に分解できる。連結孔１０５と連結突部１０６とは、猫の足裏部の掌球のほぼ３角形に模した形状の長い底辺によって、嵌合を確実にし、その上方周辺で連結片１０４には指球を模した突部が形成される。
【０１０３】
連結片１０４の付近では、上支持部９２の頂部９３ａ以外の上載置部９４および連結部９３は、切欠き９５によって、分断されて形成されない。上支持部９２における連結片１０４とその付近に形成される切欠き９５は、上容器の取扱いのために指を掛けることを容易にし、また連結片１０４と上載置部９４との干渉を避ける。連結突部１０６は、下周壁４３の上部９１において、外方に膨出された隆起部１０８に形成される。補強片８４は、端壁部８６から分厚い連絡部８７を経て隆起部１０８に連なる。
【０１０４】
連結構造８０によって、カバー２、上容器３、下容器４を組み立てた状態において、下容器４の下周壁４３の上部９１に連なる下支持部８２の補強片８４と、上容器３の上周壁３２の上部９１に連なる上支持部９２の上載置部９４との両者は、周方向にわたって外側方に延びる。カバー周壁２１の下端１０３は、上支持部９２の上載置部９４の外周面９４ａ、およびさらに下方の補強片８４の外周面８４ａを常時、露出する。したがって、動物用トイレ１の連結構造８０以外の全外周にわたり、外方からは、図２７、図２８に明瞭に示されるとおり、下から上に順に、下支持部８２の補強片８４の外周面８４ａ、上支持部９２の上載置部９４の外周面９４ａ、およびカバー周壁２１の下部１０１を明確に見ることができるので、本件トイレ１の左右各側部の連結構造８０の連結孔１０５への連結突部１０６の嵌合状態を見なくても、３つの構成要素２、３、４の完成した組み立て状態を、外方のどこからでも目で見て容易に確認することができる。したがって、下支持部８２と上支持部９２とカバー周壁２１の下部１０１とから成る、いわば３層構造が周方向にわたって外側方から観察しやすい。これによって、３つの構成要素２、３、４の組み立て状態が不完全なままで使用されて動物の出入り時にがたつきを生じることなどが防がれ、あるいは、運搬中に、たとえば、１つの構成要素２、３、４を誤って落下することなどが防がれる。
【０１０５】
上容器３の色を下容器４およびカバー２の各色と異ならせることによって、組み立て状態を確認することがさらに容易になる。たとえば、上容器３における上支持部９２の上載置部９４の少なくとも外周面９４ａの色（たとえば、濃い茶色）と、その下および上に配置される、下容器４における下支持部８２の補強片８４の外周面８４ａ、およびカバー周壁２１の少なくとも下部１０１の各色（たとえば、明るいベージュ）とを、異なるように選ぶことによって、組み立て状態を、さらに容易に確認できるようになる。
【０１０６】
実施の他の形態では、連結構造８０が、第１連結部１０５と、それに着脱可能に連結する第２連結部１０６とを、連結片１０４と下周壁４３の上部８１との間に設けて、動物用トイレ１の外側方からの連結状態を、連結片１０４によって遮られて観察し難い構造であっても、前述の下支持部８２と上支持部９２とカバー周壁２１の下部１０１とから成る３層構造が周方向にわたって外側方から観察できるので、連結状態の確認が容易である。連結状態が不完全であれば、下支持部８２と上支持部９２とカバー周壁２１の下部１０１とがずれるので、不完全な連結状態を、容易に知ることができる。
【０１０７】
板状の連結片１０４の内側方に突出する、たとえば、爪状などの掛合突起で実現し、下容器４の下周壁４３の第２連結部を、外側方に突出するもう１つの爪状などの掛合突起で実現し、両者を掛合係合して連結、離脱可能に構成することもできる。この実施の形態では、これらの掛合突起が連結片１０４に覆われているので、両者の連結を外方から明確に見ることができないが、周方向に延びる上載置部９４の外周面９４ａと、その下方で周方向に延びる補強片８４の外周面８４ａとを、カバー２の下部１０１とともに外方から明確に見ることができ、これによって、３つの構成要素２、３、４の完成した組み立て状態を容易に確認することができる。
【０１０８】
下容器４の下支持部８２における下載置部８３上には、連結構造８０に関して、トレー４２の挿入方向７の上流と下流とに間隔をあけて、一対の内制限突起８５が立設される。内制限突起８５は、上容器３の上支持部９２の上載置部９４よりも内側方（図２５の左方）に配置され、上支持部９２の上載置部９４の内側方への変位を制限する。
【０１０９】
図２９は、動物用トイレ１の連結構造８０付近におけるカバー周壁２１の下部１０１と、それに連なる連結片１０４と、上容器３の上支持部９２の連結部９３などとを切り欠いて省略して示す一部の右側方から見た断面図である。上容器３の上支持部９２には、連結構造８０に関して、トレー４２の挿入方向７の上流と下流とに間隔をあけて、一対の前後制限突起１１１が上支持部９２の連結部９３からその内側方（図２５の左方）へ突出して形成される。各前後制限突起１１１は、対を成す内制限突起８５の遠ざかった外方に配置される。これによって、各前後制限突起１１１は、各内制限突起８５の遠ざかった外方の端面８５ａ、８５ｂに当接して、上容器３と下容器４との前後方向（図２９の左右方向）の相互の変位が阻止される。これらの内制限突起８５および前後制限突起１１１によって、簀子３１上に動物が出入りする際、上下の容器３、４が不所望な変位を生じることはなく、ずれることはなく、上容器３は振動せず、下容器４に対して安定して保持され、動物の排尿、排泄時の不安な心理を無くす。
【０１１０】
実施の他の形態では、一対の各前後制限突起１１１は、一対の各内制限突起８５間に配置され、各内制限突起８５の近接方向の内方の端面８５ｃ、８５ｄに当接して、上容器３と下容器４との前後方向の相互の変位が阻止されてもよい。実施のさらに他の形態では、内制限突起８５と前後制限突起１１１とのいずれか一方が単一個だけ設けられ、その一方の前後方向両側に、いずれか他方が設けられて、上容器３と下容器４との相互の変位が阻止されてもよい。
【０１１１】
再び図２５を参照して、上容器３の上支持部９２は、上周壁３２の上部９１とともに外側方に逆Ｕ字状に連なり、内制限突起８５を覆う連結部９３を介して上載置部９４に連なって形成される。前後制限突起１１１は、上周壁３２の上部９１と連結部９３とを連結して固定され、リブとして補強の役目をも果たす。図２９のリブ１１２は、前後制限突起１１１と同じ構造を有し、下容器本体４１の下周壁４３の周方向に間隔をあけて配置され、上部９１と連結部９３とを連結して補強する。こうして、上周壁３２は、その上部９１と、頂部９３ａを含む外側方の連結部９３とによって、下方に臨む位置決め用空間１１３を形成する。この位置決め用空間１１３内に、いわば補強リブとしての働きを兼ねる前後制限突起１１１が、複数のリブ１１２とともに連結して固定されて上周壁３２の強度が向上される。位置決め用空間１１３の下部内に内制限突起８５が入り込むので、上容器３と下容器４とのずれが防がれ、下支持部８２の下載置部８３上に上支持部９２の上載置部９４が載置されることが確実である。
【０１１２】
カバー周壁２１の下部１０１は、その下部１０１とともに内側方に逆Ｕ字状に連なる覆い部１１５によって、下方に臨む載置用空間１１６を形成する。この載置用空間１１６の内方に、載置用突部１０２が収容される。載置用突部１０２は、上支持部９２における連結部９３の頂部９３ａの上に載置される。載置用突部１０２は、カバー周壁部２１の下部１０１と覆い部１１５とを連結して固定され、補強リブの働きもする。載置用空間１１６の下部内に、連結部９３とその頂部９３ａとが入り込むので、頂部９３ａ上に載置用突部１０２が載置されることが確実であり、カバー周壁２１と上支持部９２との側方（図２５〜２８の左右方向）の不所望なずれが防がれ、カバー２が上容器３に安定して保持される。覆い部１１５は、空間３３内で頂部９３ａの下方に延び、排泄時の尿が外方に漏れることがない。
【０１１３】
図３０は動物用トイレ１のために使用されるスコップ１２０の上から見た斜視図であり、図３１はそのスコップ１２０の下から見た斜視図である。スコップ１２０は、簀子３１上に粒状の排泄物処理材を敷設するため、動物の排泄物および汚損した排泄物処理材を取出すためなどに、使用され、合成樹脂製である。スコップ１２０は、排泄物処理材および排泄物などをすくい取るためのすくい部１２１と、使用者が片手で掴む柄１２２とを有する。排泄物処理材および排泄物などをまとめて処理材などという。すくい部１２１は、処理材などをすくい取る先端の平板状のすくい板１２３と、すくい板１２３に連なる受け部１２４と、受け部１２４からの処理材などを保持する保持部１２５と、これらのすくい板１２３と受け部１２４と保持部１２５とを囲んで後端から柄１２２に連なる外囲壁１２６とを有する。受け部１２４は、すくい板１２３ですくい上げられた処理材などを一時的に受け留めるために、すくい板１２３とともに凹所１２７を形成する。保持部１２５は、凹んで形成され、底には、処理材などが落下しない寸法、形状を有する多数の穴１２８を有する。柄１２２には、Ｌ字状のフック１２９が、すくい部１２１寄りにすくい部１２１に臨んで形成され、そのフック１２９の基端部に穴１３１が形成される。外囲壁１２６および柄１２２の周縁は、リブ１３２によって補強される。フック１２９によって、スコップ１２０をカバー周壁２１の周方向に延びる上縁２５（図１）にその外側方で引っかけておくことができるので、紛失が防がれる。
【０１１４】
図３２は、本発明の実施の他の形態における簀子２３１の一部の平面図である。この実施の形態は、前述の実施の形態に類似し、対応する部分には同一の参照符を２００の位で示し、説明の重複を避ける。透孔２３６の平面視の形状は、その横（図３２の上下方向）の幅Ｗ５が縦（図３２の左右方向）の両端部２３６ａから、縦方向に隣接する横材２３５間の中央位置２３６ｂに近づくにつれて小さくなるつづみ状である。透孔２３６の両端部２３６ａは、横材２３５付近で縦外方に凸の円弧状に形成される。透孔２３６の両端部２３６ａに連なって縦材２３４の対向する外側面は、平面視で、両端部２３６ａよりも半径の大きな円弧状の一部に形成される。これによって、尿の薄膜を縦の中央位置２３６ｂに速やかに集めることができる。
【０１１５】
図３３は、図３２の実施の形態における切断面線ＸＸＸＩＩＩ−ＸＸＸＩＩＩから見た簀子２３１の断面図である。縦材２３４の下端は、下に凸の逆アーチ部２３７が、縦に隣接する横材２３５間の距離を、挿脱方向８に沿う縦の１周期として、繰返して連続する形状を有する。各逆アーチ部２３７の最下端２３７ａは、横材２３５間の中央位置２３６ｂにある。各逆アーチ部２３７の最上端２３７ｂは、横材２３５の最下端２３５ｄに連なる。
【０１１６】
排泄された尿は、簀子２３１の各透孔２３６の上部でその全面に拡がって、薄膜を形成し、透孔２３６を閉じる。次に、透孔２３６の幅Ｗ５は、内径が大きな両端部２３６ａから中央位置２３６ｂに近づくにつれて小さくなるので、薄膜は、両端部２３６ａ付近で破裂する。その後、破裂した薄膜は、図３２の矢符２３８ａのとおり、中央位置に向かって集まりながら移動し、図３３の矢符２３８ｂのとおり、縦材２３４の外側面に接触しながら下降し、矢符２３８ｃのとおり、中央位置２３６ｂ付近で体積が大きくなる。矢符２３８ｂの尿の一部は、逆アーチ部２３７の下端に沿って中央位置２３６ｂに向かって集まりながら移動する。こうして集積された尿は、逆アーチ部２３７の中央位置２３６ｂにある最下端２３７ａからまとまって落下するので、排泄された尿の簀子２３１からの落下を速やかに達成することができる。簀子２３１のその他の構成と作用とは、前述の実施の形態と同じである。
【０１１７】
図３４は、本発明の実施のさらに他の形態における前述の図１９に対応する動物用トイレ１の挿入方向７に沿う上流の一部の縦断面図である。この実施の形態は、前述の実施の形態に類似する。注目すべきは、トレー４２が押し込まれて装着口４５内へ装着移動される途中、トレー４２の端壁５７が装着口４５を閉じた状態となる前に、トレー４２の端壁５７の上部の構成要素であるリブ７０の上部の凹所７０ｃから挿入方向７下流で上方に傾斜した突部７０ｂと、下容器本体４１の下周壁４３に装着口４５付近に設けられるもう１つの構成要素である停止片６９とが一時的に嵌合または係止した状態になるように構成される。これによって、トレー４２の装着完了の直前に、これらの停止片６９および突部７０ｂの一時的な嵌合または係止による衝突によって、操作者の手にクリック感を与えることができ、トレー４２の装着完了を容易に確認できる。
【０１１８】
この図３４の実施の形態において、トレー４２の端壁５７が装着口４５を閉じたトレー４２の装着完了状態では、これらの突部７０ｂ、さらには端壁５７の下流端５７ａ、リブ７０、および停止片６９は、前述の嵌合または係止した状態を保たず、離間している。
【０１１９】
装着完了状態を保つために、トレー４２の下部と下容器本体４１の底部４４付近とにおいて、端部係止部４７、５０と位置決め係止部６６、６７との係止、および下容器本体４１の底部４４における端部係止部４７とトレー４２の停止係止部６８との係止の両者が、実現される。実施の他の形態では、端部係止部４７、５０と位置決め係止部６６、６７との係止、および下容器本体４１の底部４４における端部係止部４７とトレー４２の停止係止部６８との係止のうち、少なくともいずれか一方の係止、またはその他の係止が、実現されてもよい。
【０１２０】
（第２実施形態）
図３５は本発明の実施のさらに他の形態の動物用トイレ１ａに用いられる下容器４の平面図であり、図３６は図３５に示される下容器４の１つの隅部３３１付近の拡大平面図であり、図３７は図３５に示される下容器４の１つの隅部３３１付近を挿入方向７の上流から見た斜視図である。図３８は図３６の切断面線ＸＸＸＶＩＩＩ−ＸＸＸＶＩＩＩから見た断面図であり、図３９は図３６の切断面線ＸＸＸＩＸ−ＸＸＸＩＸから見た断面図であり、図４０は図３６の切断面線ＸＬ−ＸＬから見た断面図である。なお、前述の図１〜図３４に示す実施の形態と対応する部分には同一の参照符を付し、重複する説明は省略する。
【０１２１】
本実施の形態の動物用トイレ１ａは、基本的に、前述の実施の形態の動物用トイレ１ａと同様に、カバー２と、簀子３１を有する上容器３と、下容器４とを含む。下容器４は、上容器３を支持する下支持部８２を有する下容器本体４１と、簀子３１から落下する尿を吸収する吸収体９８を収容するトレー４２とを有する。これらのカバー２、簀子３１を有する上容器３、およびトレー４２を有する下容器４は、たとえばポリエチレン（ＰＥ）、ポリプロピレン（ＰＰ）、ポリエチレンテレフタレート（ＰＥＴ）などのオレフィン系の熱可塑性樹脂から成り、たとえば射出成形によって個別に一体成形することができる。このような材料および製造方法は、図１〜図３４の各実施の形態においても適用可能である。
【０１２２】
トレー４２は、下容器本体４１に引き出し状に、挿入方向７にのみ挿入可能であり、トレー４２を挿入方向７とは逆向きの姿勢で挿入することはできない。動物用トイレ１ａは、トレー４２の挿入方向７に平行な、図３５の紙面に垂直な対称面に関して、左右対称に構成される。下容器本体４１は、下周壁４３と、その下周壁４３の下部に連なり、トレー４２を支持する底部４４とを有する。
【０１２３】
トレー４２は、底板５４と、底板５４の上方に臨む底面の４方の周縁辺から、図３５の紙面にほぼ垂直に手前側に立ち上がって、矩形シート状の吸収体９８を収容する収容領域３３０を形成する周壁５５とを有する。トレー４２は、平面視において挿脱方向８に長い矩形であり、４個所の隅部３３１〜３３４を有する。
【０１２４】
周壁５５は、前壁５７ｂと、左右一対の側壁５６と、後壁５８とを有する。前壁５７ｂは、トレー４２の挿入方向７の上流（すなわち、前方、図３５および図３６の左方）に形成され、左右の横方向（図３５および図３６では上下方向）に延びる。側壁５６は、前壁５７ｂに連なって形成され、挿入方向７に平行な前後の縦方向（図３５および図３６では左右方向）に延びる。後壁５８は、トレー４２の挿入方向７の下流（すなわち、後方、図３５および図３６の右方）で各側壁５６に連なって形成され、左右方向に延びる。
【０１２５】
底板５４の底面と側壁５６の内側面５６ａとの交差部、底板５４の底面と前壁５７の内壁面５７ｃ、および後壁５８の内壁面５８ａとの交差部は、収容領域３３０側から見て外方に凸に湾曲した曲面、すなわちＲ面に面取りされてもよい。これによって尿などの付着物が交差部に残着することが防がれ、菌などの繁殖を抑制して、トレー４２内を衛生的に清浄な状態に維持することができる。
【０１２６】
前壁５７ｂの内壁面５７ｃは、中央寄り内壁面５７ｃ１と、隅部３３１、３３２における左右両端部付近の隅部内壁面５７ｃ２とを有する。底板５４の底面に連なる内壁面５７ｃの下端は、左右方向に一直線状に延びる。内壁面５７ｃの隅部３３１、３３２以外の部分である中間の中央寄り内壁面５７ｃ１は、図３８のとおり、トレー４２の底板５４の底面に対する角度α１で、底板５４の底面から上方になるにつれて収容領域３３０の外側方（挿入方向７の上流、図３５、図３６の左方）に傾斜した平面である。
【０１２７】
隅部３３１、３３２の付近において、隅部内壁面５７ｃ２（図３６を参照）は、中央寄り内壁面５７ｃ１に滑らかに連なり、収容領域３３０の外方（挿入方向７の上流）に延びて、図３９のとおり、底面に対する角度θ（θ＞α１）が左右方向の外方（図３６の上方向）になるにつれて大きい値に変化するように、引き出し操作用把手５９側、すなわち内側（図３６の右方）に凸に緩やかに湾曲して形成される。
【０１２８】
側壁５６の内側面５６ａにおいて、内側面５６ａの底板５４の底面に連なる下端は、挿入方向７に平行に一直線状に延びる。内側面５６ａは、図４０のとおり、底面に対して角度α２（θ＞α２）で、底板５４の底面から上方になるにつれて収容領域３３０の外側方（左右方向の外方、図３６の上方向）に、隅部３３１の付近の隅部内側面５６ａ１をも含めた縦方向の全長にわたって、傾斜した平面である。隅部内側面５６ａ１は、隅部内壁面５７ｃ２に連なる。したがって、前壁５７ｂの隅部内壁面５７ｃ２は、隅部内側面５６ａ１を含む内側面５６ａよりも左右方向の外側方（図３６の上方）に延びていない。
【０１２９】
後壁５８の内壁面５８ａは、底板５４の底面からほぼ垂直、すなわち、底面から立ち上がるにつれて挿入方向７の下流に僅かに傾斜して形成される。このような僅かな傾斜とは、たとえば前述の前壁５７ｂの中央寄り内壁面５７ｃ１と挿入方向７に垂直な対称面に関して対称に、すなわち底面に対して角度θと同様な角度で挿入方向７の下流に傾斜して形成される。したがって本実施の形態のトレー４２の各側壁５６の内側面５６ａは、前壁５７ｂおよび後壁５８の間にわたって挿入方向７に平行に延びて形成されている。
【０１３０】
図４１は本発明の実施のさらに他の形態の動物用トイレ１ｂの下容器４ｂを示す一部の拡大断面図であり、図４２は図４１のセクションＸＬＩＩの拡大図であり、図４３は図４１の動物用トイレ１ｂを右斜め下から見た外観を示す斜視図である。図４４は図４３に示される動物用トイレ１ｂを左斜め上から見た外観を示す斜視図であり、図４５は図４３の切断面線ＸＬＶ−ＸＬＶから見た断面図である。図４６Ａはトレー４２が下容器本体４１から引出された下容器４ｂを左斜め上から見た斜視図であり、図４６Ｂはトレー４２が下容器本体４１から引出された下容器４ｂを左斜め上から見た斜視図である。なお、前述の図１〜図４０に示す実施の形態と対応する部分には、同一の参照符を付し、重複する説明は省略する。
【０１３１】
本実施の形態の動物用トイレ１ｂは、基本的に、カバー２と、簀子３１を有する上容器３と、下容器４ｂとを含む。下容器４ｂは、上容器３を支持する下支持部８２を有する下容器本体４１と、簀子３１から落下する尿を吸収する吸収体９８を収容し、下容器本体４１に引き出し状に、前後方向８に挿脱自在なトレー４２とを有する。これらのカバー２、簀子３１を有する上容器３、およびトレー４２を有する下容器４ｂは、たとえばポリエチレン（ＰＥ）、ポリプロピレン（ＰＰ）、ポリエチレンテレフタレート（ＰＥＴ）などのオレフィン系の熱可塑性樹脂から成り、たとえば射出成形によって製造することができる。
【０１３２】
動物用トイレ１ｂは、平面視において、トレー４２の前後方向８に平行な対称面に関して左右対称に構成される。下容器本体４１は、下周壁４３と、下周壁４３の下部に連なり、トレー４２を支持する底部４４とを有する。下周壁４３は、ほぼ一様な厚さを有する。下周壁４３には、前後方向８のほぼ中央に、一対の凹部３１３が形成される。凹部３１３の外面は、下周壁４３が、前後から中央になるにつれて、かつ、上下方向のほぼ中央から下方になるにつれて、左右方向の内方に凸に凹んで、滑らかに湾曲して形成される。凹部３１３の上部は、前後方向８の中央から前後になるにつれて、かつ、上方になるにつれて、左右の外側方１２に凸に膨らんで、滑らかに湾曲して形成される。
【０１３３】
凹部３１３の前後方向８の中央およびその中央付近で前後方向８に延びる領域では、後述の仮想一平面３１０に対する垂直面と成す角度θ（図４１を参照）は、上方になるにつれて大きく形成され、これによって、凹部３１３の上部に手掛け部３１４が形成される。飼い主などの作業者が、左右の手掛け部３１４の下面に両手の指先をそれぞれ掛けることによって、動物用トイレ１ｂを安定に把持して容易に運搬することができる。
【０１３４】
底部４４は、正面から見て、右縦底部３０１と、左縦底部３０２と、中央縦底部３０３と、前横底部３０４と、後横底部３０５とを有する。右縦底部３０１と左縦底部３０３と中央縦底部３０３とは、前後方向８に平行に延び、前横底部３０４と、後横底部３０５とは左右方向９に平行に延びる。これらの底部３０１〜３０５の各底面と、下容器本体４１に挿入された状態にあるトレー４２の底部３０６の下面とは、共通な仮想一平面３１０よりも上方にあり、したがって、下容器本体４１は、底部３０１〜３０５の各底面を床などの平坦な設置面上に面接触させて安定に支持される。中央縦底部３０３に関して左右方向９の両側には、一対の縦隆起部３０７が設けられる。
【０１３５】
一対の縦隆起部３０７のうちの一方の縦隆起部３０７は、左縦底部３０２と中央縦底部３０３との間で、かつ前横底部３０４と後横底部３０５との間に位置する。また、一対の縦隆起部３０７のうちの他方の縦隆起部３０７は、右縦底部３０１と中央縦底部３０３との間で、かつ前横底部３０４と後横底部３０５との間に位置する。これらの縦隆起部３０７は、仮想一平面３１０から１ｍｍ〜３ｍｍ程度上方に離間した位置で、仮想一平面３１０に平行な板状部分３０７ａと、板状部分３０７ａの周縁辺から外側方に向かって下方に傾斜し、各底部３０１〜３０５に連なる傾斜部分３０７ｂとを有する。傾斜部分３０７ｂの傾斜角度は、仮想一平面３１０に対して３０°〜９０°、好ましくは４５°に選ばれる。
【０１３６】
トレー４２の底板５４には、図４１のとおり、前後方向９に沿って平行に延びる左右一対の移動案内部３１１が、下方に突設される。下容器本体４１の底部４４の上部において、移動案内部３１１は、左右一対の縦隆起部３０７に、その外側方で相互に凹凸嵌合している。これによって、各縦隆起部３０７の前後方向９に沿って平行に延びる傾斜部分３０７ｂは、各移動案内部３１１のための縦案内部として働き、トレー４２の挿脱方向８の移動範囲内で、各移動案内部３１１を挿脱方向８に平行に案内する。したがってトレー４２は、吸収体９８の交換などのために、平面視において挿脱方向８に対してずれた方向、あるは交差する方向に外力が作用しても、トレー４２は左右方向９にずれることはなく、振動せず、安定して挿脱移動できる。
【０１３７】
このような底部３０１〜３０５と各縦隆起部３０７とによる、傾斜部分３０７ｂを構成する段差は、下容器本体４１の底部４４の挿脱方向９に垂直な断面における断面性能を向上し、下容器本体４１の縦方向の曲げ剛性を高め、下容器本体４１の薄肉化、減容化および軽量化を図ることができる。
【０１３８】
各凹部３１３のトレー４２に臨む内面は、トレー４２の移動案内部３１１が、振動または傾斜などによって縦隆起部３０７に乗り上げて、または乗り上げることなく、トレー４２が大きく左右方向９に変位することを防ぐ。凹部３１３の外面および内面は、滑らかな湾曲面であるので、排泄物などの付着物を拭き取って清潔に保つことが容易である。
【０１３９】
移動案内部３１１の下面は、図４２に示すように、下容器本体４１における底部４４の左縦底部３０２の上面に接触して支持される。移動案内部３１１の下方への突設高さは、縦隆起部３０７の隆起高さを超え、したがって、トレー４２の底板５４の下面は、縦隆起部３０７の上方にある。下容器本体４１における底部４４の右縦底部３０１およびトレー４２の移動案内部３１１に関しても、前述のとおり、左右対称に構成される。
【０１４０】
下容器本体４１の底部３０１〜３０５の各底面は、共通な仮想一平面３１０上にあり、したがって、平坦な設置面上に面接触して動物用トイレ１が安定に支持されるとともに、上容器３の荷重は下支持部８２を介して、およびトレー４２の荷重は移動案内部３１１を介して、左右一対の平らな縦底部３０１、３０２に作用する。したがって、平坦な設置面上に面接触する縦底部３０１、３０２は、トレー４２が下容器本体４１に対して左右方向９における最も一方寄りに配置され、下容器本体４１に荷重が偏心して作用した状態においても、下容器本体４１の変形のおそれはない。
【０１４１】
図４７はトレー４２の１つの隅部３３１付近を拡大した斜視図であり、図４８は１つの隅部３３１付近を上方から見た拡大平面図であり、図４９は下容器本体４１にトレー４２が装着された下容器４を斜め上から見た斜視図である。前述のトレー４２は、挿入方向７の上流側の端部における、左右方向９の両側部に設けられる段差部３３５、３３６を有する。下容器本体４１は、下周壁４３における装着口４５の左右方向９の両側に、互い近接する方向に突出する一対の係止片３３７、３３８が設けられる。各係止片３３７、３３８は、板状であり、下容器本体４１の挿入口４５近傍の内面に一体に、挿入方向７に垂直な仮想平面に沿って、互いに近接する方向に突出して形成される。
【０１４２】
図５０は隅部３３１付近を拡大した平面図であり、図５１は隅部３３１およびその近傍を部分的に切欠いた断面図であり、図５２は隅部３３１付近を挿入方向７の上流から見た拡大図である。トレー４２は、挿脱方向８を含む鉛直な仮想一平面（図５０では、紙面に垂直な方向）に関して面対称に形成されるので、一対の段差部３３５、３３６のうちの一方の段差部３３５および一対の係止片３３７、３３８のうちの一方の係止片３３７について述べる。下容器本体４１の装着口４５の挿入方向７の下流には、装着口４５に近接して係止片３３７が設けられる。係止片３３７は、挿脱方向８に垂直な鉛直面と平行な板状体から成り、トレー４２の挿脱方向８の移動経路側に突出して、下容器本体４１と一体に形成される。
【０１４３】
係止片３３７は、下容器本体４１の下周壁４３に連なる第１基端部３３７ａと、底部４４に連なる第２基端部３３７ｂと、第１基端部３３７ａから左右方向９の最も離れた位置で底部４４の底面に垂直に延びる第１遊端部３３７ｃと、底部４４から底面に垂直な方向に最も離れた位置で第２基端部３３７ｂと平行に延びる第２遊端部３３７ｄとを有する。
【０１４４】
トレー４２の端壁５７と側壁５６との交差部３３１には、前述の段差部３３５が形成される。端壁５７、各側壁５６および後壁５８は、底板５４から立ち上がる壁部分３３９と、壁部分３３９の上端から外側方に延びるフランジ部分３４０と、フランジ部分３４０の先端から下方に立下がるリブ３４１とを有する。これらの壁部分３３９、フランジ部分３４０およびリブ３４１は、周方向に連なり、前述の端壁５７、各側壁５６および後壁５８を構成する。段差部３３５は、これらの壁部分３３９、フランジ部分３４０およびリブ３４１の一部から成る。このような構成によって、トレー４２の肉厚を薄くして軽量化し、かつ高い曲げ剛性が達成される。
【０１４５】
段差部３３５は、平面視において、挿脱方向８の沿う鉛直面に平行な第１案内面３３５ａと、第１案内面３３５ａの挿入方向７の下流端に連なり、左右方向９の外側方に湾曲する第２案内面３３５ｂと、第２案内面３３５ｂの挿入方向７の下流端に連なり、挿入方向７の下流になるにつれて外側方１２に凸に湾曲した第３案内面３３５ｃと、第３案内面３３５ｃの挿入方向７の下流端に連なり、挿入方向７に延びる第４案内面３３５ｄと、第４案内面３３５ｄの挿入方向７の下流端に連なり、外側方１２に延びる第５案内面３３５ｅとを有する。
【０１４６】
第５案内面３３５ｅは、平面視において、係止片３３７の第１遊端部３３７ｃの内面３３７ｃ１を含む鉛直面よりも幅ΔＬだけ外側方１２に突出している。このような第５案内面３３５ｅの外側端には、リブ３４１の側面３４１ａが連なる。側面３４１ａは、第５案内面３３５ｅの外側端との交差部から挿入方向７の下流に向かって距離Ｌ１１の区間において、壁部分３３９に近接する方向に緩やかに傾斜して形成され、係止片３３７との干渉が防がれている。
【０１４７】
側面３４１ａの距離Ｌ１１の区間よりも挿入方向７の下流の領域は、内面３３７ｃ１を含む鉛直面よりも壁部分３３９寄りに位置している。前述の幅ΔＬは、たとえば１〜３ｍｍであってもよい。また距離Ｌ１１は、たとえばトレー４２の挿脱方向９の全長Ｌ１２の１０％〜２５％であってもよい。
【０１４８】
トレー４２が下容器本体４１から挿入方向７の上流へ引出された状態で、トレー４２を挿入方向７の下流で挿入するとき、側面３４１ａは係止片３３７の第１遊端部３３７ｃの内面３３７ｃ１から内側へ離間しており、トレー４２をさらに挿入方向７の下流へ移動させると、側面３４１ｃ１に距離Ｌ１１の途中で接触する。これによってトレー４２の操作者にトレー４２が下容器本体４１の装着完了位置に近づいたことを感覚的に伝えることができる。この状態からトレー４２をさらに挿入方向７の下流へ移動させると、係止片３３７はトレー４２の側面３４１ａから受ける押圧力によって挿入方向７の下流へ弾性変形し、トレー４２を挿入する操作者には、挿入方向７に対してより大きな押込み抵抗力が伝わり、トレー４２がほぼ装着完了位置の手前まで押し込まれたことが感覚的に伝えられる。
【０１４９】
操作者がこのような押込み抵抗力に抗してトレー４２を挿入方向７の下流へさらに押込むと、押込み力抵抗力はさらに大きくなり、係止片３３７の第１遊端部３３７ｃを第５案内面３３５ｅが挿入方向７の下流に通過したとき、押込み力は急激に減少して、係止片３３７の第１遊端部３３７ｃにトレー４２の側面３４１ｃが接触しない状態に戻り、係止片３３７の復帰音とともに押込み抵抗力が急激に低下することによるクリック感が操作者に伝わる。
【０１５０】
これによって、操作者は、トレー４２が装着完了位置まで挿入されたことを感覚的に明瞭に認識することができる。このように挿入方向７の下流に向かって弾性変形していた係止片３３７は、側面３４１ａとの摩擦抵抗がなくなり、復帰音および振動が操作者に伝わるので、トレー４２が装着完了位置まで挿入されたことを操作者は明瞭に認識することができるので、無理にトレー４２を下容器本体４１に押し込むことが防がれ、トレー４２および下容器本体４１の損傷および変形などが防止される。
【０１５１】
また、トレー４２は下容器本体４１に確実に装着されるので、吸収体９８の交換などの作業に不慣れな操作者であっても、トレー４２を下容器本体４１に確実に装着することができるので、下容器本体４２の装着口４５がトレー４２の端壁５７によって塞がれ、吸収体９８などに付着した尿などの異臭が装着口４５の隙間から放散することが防がれ、室内環境が動物臭または尿臭などの異臭によって汚損されることが防がれる。
【０１５２】
トレー４２の第５案内面３３５ｅが係止片３３７よりも挿入方向７の下流に位置した状態では、猫などの動物が接触してトレー４２に直接または間接に外力が作用しても、第５案内面３３５ｅが係止片３３７に当接するので、トレー４２が挿入方向７の上流へ移動することが阻止され、したがって下容器本体４１の装着口４５からトレー４２の端壁５７が突出し、動物用トイレ１ｂを運搬または移動のために傾斜させても、トレー４２が下容器本体４１から突出してしまうことが防がれる。
【０１５３】
下容器本体４１の底部４４には、縦隆起部３０７が形成され、トレー４２には移動案内部３１１が形成され、移動案内部３１１と縦隆起部３０７とは相互に凹凸嵌合して、トレー４２を挿脱方向８に案内するように構成される。これによって、トレー４２の下容器本体４１に対する左右方向９の変位が抑制され、トレー４２の引き出し方向６および挿入方向７の移動の直進性が得られ、トレー４２を下容器本体４１に対して円滑に出し入れすることができ、吸収体９８の交換、清拭および洗浄などのためのトレー４２の出し入れ時の操作性を向上することができる。また、移動案内部３１１と縦隆起部３０７とが凹凸嵌合するように構成されるので、トレー４２に直接または間接に衝撃力が作用しても、トレー４２が下容器本体４１内で左右方向９に変位してしまうことが防がれ、トレー４２の下容器本体４１に対する位置決め状態が保持され、優れた位置決め保持機能が達成される。
【０１５４】
本発明の実施の他の形態では、トレー４２の底板５４に挿入方向７の下流に設けられる位置決め突起６７が、図２０および図２２に示されるように端部突起５０の下流端５０ａを乗り越えたとき、トレー４２の底板４３の挿入方向７の上流に位置するもう１つの位置決め突起６６が横案内部４９に挿入方向７の上流から当接するように、位置決め突起６６を底板５４に位置決めして形成することによって、トレー４２の挿入方向７の下流への移動が抑制され、下容器本体４１の装着口４５を前壁５７ｂが塞いだ位置に、トレー４２を保持することができる。これによってトレー４２に付着した尿などの付着物および吸収体９８などから発散される尿臭などの臭気が、装着口４５と前壁５７ａとの間から外部へ漏洩することが防がれる。
【０１５５】
下容器本体４１の底穴５１は、各一対の縦案内部４８および横案内部４９によって外囲され、各縦案内部４８の上面および各横案内部４９の上面は仮想一平面上に含まれるので、トレー４２を下容器本体４１に装着した状態では、トレー４２の底板５４の下面が各縦案内部４８の上面および各横案内部４９の上面に接触して支持されるので、図１〜図３４に示す実施の形態の動物用トイレ１のように、底穴５１を有する下容器４であっても、下容器本体４１の底穴５１はトレー４によって塞がれる。また、下容器４に乗載される上容器３の簀子３１には、猫砂などと呼ばれる粒状の排泄物処理材が敷設されるので、各透孔３６は排泄物処理材によって塞がれる。
【０１５６】
したがって、上容器３と下容器４との間で下周壁４３によって囲まれた空間は、通気性が抑制された、いわば閉じた空間とされるので、前述の尿臭などの臭気が滞留しやすい。このような空間は、前述のとおり、装着口４５がトレー４２の前壁５７によって塞がれ、トレー４２に振動、衝撃などの外力が作用しても隙間あるいは開口を生じにくく、臭気が外部へ漏れにくい、という優れた効果が達成される。
【０１５７】
また、動物用トイレ１では、下容器本体４２には、図１３に示すとおり、底部４４に縦案内部４８および横案内部４９が形成され、また動物用トイレ１ａ，１ｂでは、図４３および図４５に示すとおり、底部４４に縦隆起部３０７が形成されるので、底部４４の高い曲げ剛性を達成できるとともに、トレー４２の左右方向９の変位および挿脱方向９の変位を抑制することができる。これによって、猫などの動物が、簀子３１に飛び乗り、簀子３１から飛び出し、簀子３１上で砂掻きなど行なったときの振動、衝撃などの外力に対して、下容器本体４１に対してトレー４２が容易に移動するという不具合が防がれ、トレー４２の下容器本体４１への適切な装着状態を維持できる、という優れた効果を奏することができる。
【０１５８】
図５３は、本発明の実施のさらに他の形態の動物用トイレ１ｃを示す平面図であり、図５４は動物用トイレ１ｃの下容器４ｃの一部を示す平面図である。図５５は動物用トイレ１ｃの側面図であり、図５６は図５３の切断面線ＬＶＩ−ＬＶＩから見た動物用トイレ１ｃの断面図である。図５７は動物用トイレ１ｃの正面図であり、図５８は図５３の切断面線ＬＶＩＩＩ−ＬＶＩＩＩから見た動物用トイレ１ｃの断面図であり、図５９は動物用トイレ１ｃの斜視図である。前述の図５３は、中心軸線Ｌ２１に関して左側は、前述のカバー２、上容器３および下容器４が重ねられて組立てられた状態を示し、中心軸線Ｌ２１に関して右側は、上容器３の簀子３１を省略した状態を示す。図５４は、動物用トイレ１ｃのカバー２を省略した平面を示す。なお、前述の実施の各形態と対応する部分には、同一の参照符を付し、重複する説明は省略する。
【０１５９】
本実施の形態の動物用トイレ１ｃは、前述の第１〜第３実施形態の動物用トイレ１，１ａ，１ｂと同様に、カバー２と、上容器３と、下容器４とを含む。カバー２は、上部が開口したカバー周壁２１と、内向きカバー部２２とを有する。内向きカバー部２２は、猫などの動物が出入りする出入り口２３を形成する。上容器３は、動物を乗載する簀子３１と、簀子３１を支持する上周壁３２とを有し、上周壁３２は、動物を乗載する空間３３をカバー周壁２１とともに形成する。下容器４は、簀子３１を有する上容器３を支持する下容器本体４１と、簀子３１から落下する尿を吸収する吸収体９８を収容し、下容器本体４１に引き出し状に挿脱自在なトレー４２とを有する。これらのカバー２と、上容器３と、下容器４とは、ポリプロピレンなどの合成樹脂の射出成形によって、それぞれ製造され、外観寸法を参考までに述べると、５４７ｍｍ×３９５ｍｍ×２５０ｍｍ程度である。
【０１６０】
図６０は図５７の切断面線ＬＸ−ＬＸから見た動物用トイレ１ｃの挿入方向７に沿う上流の一部の拡大断面図であり、図６１〜図６８は下容器本体４１の構成を示す図である。図６１は下容器本体４１の平面図であり、図６２は下容器本体４１の正面図であり、図６３は下容器本体４１の底面図である。図６４は下容器本体４１の背面図であり、図６５は下容器本体４１の側面図であり、図６６は図６１の切断面線ＬＸＶＩ−ＬＸＶＩから見た下容器本体４１の断面図であり、図６７は下容器本体４１を右斜め上から見た斜視図であり、図６８は下容器本体４１を底面側から見た斜視図である。
【０１６１】
図６９〜図７７はトレー４２の構成を示し、図６９はトレー４２の平面図であり、図７０はトレー４２の正面図であり、図７１はトレー４２の底面図であり、図７２はトレー４２の背面図であり、図７３はトレー４２の側面図である。図７４は図６９の切断面線ＬＸＸＩＶＩ−ＬＸＸＩＶから見たトレー４２の断面図であり、図７５は図６９の切断面線ＬＸＸＶ−ＬＸＸＶから見たトレー４２の断面図であり、図７６はトレー４２を右斜め上から見た斜視図であり、図７７のトレー４２を下方から見た斜視図である。
【０１６２】
本実施の形態において、トレー４２の端壁５７の上端５７ａは、トレー４２が下容器本体４１に挿入された状態で、下容器本体４１の装着口４５に上方から臨む内向き壁部４３ａに挿入方向７の上流から下流に向かって弾発的に当接し、装着口４５を隙間なく閉鎖するように構成される。このような構成によって、下容器本体４１の簀子３１上で動物を乗載する空間３３に動物が出入りする際に振動などが生じても、下容器本体４１とトレー４２とが相対的に不所望に変位せず、トレー４２が下容器本体４１に挿入されたままに保たれ、トレー４２に付着した尿、または吸収体９８に吸収された尿による尿臭が外部へ漏れ出ることが防がれ、いわゆる動物臭、ペット臭などと呼ばれる不快な異臭の放散が抑制される。
【０１６３】
上流の位置決め突起６６は、トレー４２の挿入方向７の下流になるにつれて、上方に傾斜した傾斜面６６ｂを有する。これによって、トレー４２の挿入時に、端部突起４７の上面を摺動して乗り越えて、係止される。また、下流の位置決め突起６７は、トレー４２の挿入方向７の下流になるにつれて、上方に傾斜した傾斜面６７ｂを有する。これによって、トレー４２の挿入時、端部突起４７、横案内部４９、端部突起５０の上面を摺動して乗り越えて、端部突起５０と係止される。この位置決め突起６６，６７の傾斜面６６ｂ、６７ｂは、トレー４２の挿入操作時、端部突起４７、５０をその下流端４７ａ、５０ａから乗り上げる動作を容易にする。
【０１６４】
トレー４２の引き出し移動の開始時に、把手５９をわずかに持ち上げることによって、上流の位置決め突起６６は、端部突起４７を乗り越えて、その傾斜面６６ｂが摺動して端部突起４７の下流端４７ａと位置決め突起６６の上流端６６ａとの係止が解除される。下流の位置決め突起６７は、端部突起５０を乗り越えて、その傾斜面６６ｂが摺動して端部突起５０の下流端５０ａと位置決め突起６７の上流端６７ａとの係止が解除され、さらに横案内部４９および端部突起４７をこの順序で乗り越えて摺動する。したがって、トレー４２の下容器本体４１への挿脱操作が容易である。
【０１６５】
トレー４２は、底板５４に連なって挿入方向７の上流寄りで停止突起６８を有し、この停止突起６８は、トレー４２の装着のための移動時、トレー４２の挿入方向７の下流端６８ａが、下容器本体４１の底部４４の端部突起４７の上流端４７ｂに当接して、下流への移動が制限され、装着状態になる。底板５４から停止突起６８を経て端壁５７が立ち上がる。下容器本体４１の下周壁４３に、装着口４５付近で垂下して形成される停止片６９は、装着状態では、トレー４２の端壁５７の上部における挿入方向７の下流端５７ａと離間している。トレー４２の移動操作中、トレー４２の端壁５７が装着口４５を閉じて、さらに、挿入方向７に過度に押し込まれると、停止片６９は、トレー４２の端壁５７の下流端５７ａに当接して、トレー４２の下流への移動を制限し、トレー４２の過度な変形を防いで、下容器本体４１およびトレー４２の破損を防ぎ、耐久性が向上される。端壁５７の下流端５７ａは、リブ７０によって補強される。リブ７０の上端７０ａは、挿入方向７の下流になるにつれて下方に傾斜し、停止片６９から下方に離間し、接触しない。
【０１６６】
こうして、下容器本体４１の装着口４５からのトレー４２の装着状態では、下容器本体４１の各端部突起４７、５０の下流端４７ａ、５０ａとトレー４２の各位置決め突起６６、６７の上流端６６ａ、６７ａとがそれぞれ係止、当接し、このとき、トレー４２の停止突起６８の下流端６８ａは、下容器本体４１の底部４４の上流の端部突起４７の上流端４７ｂに係止、当接し、トレー４２の端壁５７は、下容器本体４１の装着口４５を閉鎖する。したがって、トレー４２が下容器本体４１に挿入されて装着された状態が安定して保持されるので、トレー４２の吸収体９８からの尿臭が装着口４５から漏れることはなく、本件トイレ１が設置される、たとえば、建物の室内が快適に維持される。
【０１６７】
本実施の形態においても、トレー４２が押し込まれて装着口４５内へ装着移動される途中、トレー４２の端壁５７が装着口４５を閉じた状態となる前に、トレー４２の端壁５７の上部の構成要素である停止片６９と、下容器本体４１の下周壁４３に装着口４５付近に設けられるもう１つの構成要素であるリブ７０の上部の凹所７０ｃから挿入方向７下流で上方に傾斜した突部７０ｂとが一時的に嵌合または係止した状態になるように構成される。これによって、トレー４２の装着完了の直前に、これらの停止片６９および突部７０ｂの一時的な嵌合または係止による衝突によって、操作者の手にクリック感を与えることができ、トレー４２の装着完了を容易に確認できる。
【０１６８】
トレー４２の端壁５７が装着口４５を閉じたトレー４２の装着完了状態では、これらの停止片６９および突部７０ｂは、前述の嵌合または係止した状態を保たず、離間している。装着完了状態を保つために、トレー４２の下部と下容器本体４１の底部４４付近とにおいて、端部係止部４７、５０と位置決め係止部６６、６７との係止、および下容器本体４１の底部４４における端部係止部４７とトレー４２の停止係止部６８との係止の両者が、実現される。実施のたの形態では、端部係止部４７、５０と位置決め係止部６６、６７との係止、および下容器本体４１の底部４４における端部係止部４７とトレー４２の停止係止部６８との係止のうち、少なくともいずれか一方の係止、またはその他の係止が、実現されてもよい。
【産業上の利用可能性】
【０１６９】
本発明の動物用トイレは、猫、犬、うさぎ、その他の動物のために好適し、特に、屋内で使用され得る。簀子は、尿などの液体を除去する、いわゆる水切りを向上するので、動物用トイレだけでなく、たとえば、台所の水切りかごの底に関連して実施でき、製造工場で液体中から引き上げられた部品などの水切りなどのために、多くの技術分野で有利に実施できる。
【符号の説明】
【０１７０】
１、１ａ、１ｂ、１ｃ  動物用トイレ
２  カバー
３  上容器
４  下容器
６  引き出し方向
７  挿入方向
８  挿脱方向、前後方向
９  左右方向
１１  内側方
１２  外側方
２１  カバー周壁
３１、２３１  簀子
３２  上周壁
３３  動物を乗載する空間
４１  下容器本体
４２  トレー
３４、２３４  縦材
３４ａ  縦材３４の上部分
３４ｂ  縦材３４の下部分
３４ｃ  縦材３４の最上端
３５、２３５  横材
３５ａ  横材３５の上部分
３５ｂ  横材３５の下部分
３５ｃ  横材３５の最上端
３５ｄ  横材３５の最下端
３６、２３６  透孔
３７、２３７  逆アーチ部
３７ａ、２３７ａ  逆アーチ部３７の最下端
３７ｂ，２３７ｂ  逆アーチ部３７の最上端
３８、３８ａ〜３８ｅ  尿の薄膜
４１  下容器本体
４３  下周壁
４４  底部
４５  装着口
４７、５０  端部突起
４７ａ  端部突起４７の下流端
４８  縦案内部
４９  横案内部
５４  底板
５９  引き出し操作用把手
６２、６３  凹所
６４  移動案内部
６６、６７  位置決め突起
６８  停止突起
６９  停止片
７１  外枠
８０  連結構造
８１  下周壁４３の上部
８２  下支持部
８３  下載置部
８４  補強片
８４ａ  補強片８４の外周面
８５  内制限突起
８５ａ、８５ｂ  内制限突起８５の端面
８７  連絡部
９１  上周壁３２の上部
９２  上支持部
９３  連結部
９３ａ  連結部９３の頂部
９４  上載置部
９４ａ  外周面
９８  吸収体
１０１  下部
１０２  載置用突部
１０３  カバー周壁２１の下端
１０４  連結片
１０５  第１連結部である連結孔
１０６  第２連結部である連結突部
１１１  前後制限突起
１１５  覆い部
【図１】
2020022450.tif 000003
【図２】
2020022450.tif 000004
【図３】
2020022450.tif 000005
【図４】
2020022450.tif 000006
【図５】
2020022450.tif 000007
【図６】
2020022450.tif 000008
【図７】
2020022450.tif 000009
【図８】
2020022450.tif 000010
【図９】
2020022450.tif 000011
【図１０】
2020022450.tif 000012
【図１１】
2020022450.tif 000013
【図１２】
2020022450.tif 000014
【図１３】
2020022450.tif 000015
【図１４】
2020022450.tif 000016
【図１５】
2020022450.tif 000017
【図１６】
2020022450.tif 000018
【図１７】
2020022450.tif 000019
【図１８】
2020022450.tif 000020
【図１９】
2020022450.tif 000021
【図２０】
2020022450.tif 000022
【図２１】
2020022450.tif 000023
【図２２】
2020022450.tif 000024
【図２３】
2020022450.tif 000025
【図２４】
2020022450.tif 000026
【図２５】
2020022450.tif 000027
【図２６】
2020022450.tif 000028
【図２７】
2020022450.tif 000029
【図２８】
2020022450.tif 000030
【図２９】
2020022450.tif 000031
【図３０】
2020022450.tif 000032
【図３１】
2020022450.tif 000033
【図３２】
2020022450.tif 000034
【図３３】
2020022450.tif 000035
【図３４】
2020022450.tif 000036
【図３５】
2020022450.tif 000037
【図３６】
2020022450.tif 000038
【図３７】
2020022450.tif 000039
【図３８】
2020022450.tif 000040
【図３９】
2020022450.tif 000041
【図４０】
2020022450.tif 000042
【図４１】
2020022450.tif 000043
【図４２】
2020022450.tif 000044
【図４３】
2020022450.tif 000045
【図４４】
2020022450.tif 000046
【図４５】
2020022450.tif 000047
【図４６Ａ】
2020022450.tif 000048
【図４６Ｂ】
2020022450.tif 000049
【図４７】
2020022450.tif 000050
【図４８】
2020022450.tif 000051
【図４９】
2020022450.tif 000052
【図５０】
2020022450.tif 000053
【図５１】
2020022450.tif 000054
【図５２】
2020022450.tif 000055
【図５３】
2020022450.tif 000056
【図５４】
2020022450.tif 000057
【図５５】
2020022450.tif 000058
【図５６】
2020022450.tif 000059
【図５７】
2020022450.tif 000060
【図５８】
2020022450.tif 000061
【図５９】
2020022450.tif 000062
【図６０】
2020022450.tif 000063
【図６１】
2020022450.tif 000064
【図６２】
2020022450.tif 000065
【図６３】
2020022450.tif 000066
【図６４】
2020022450.tif 000067
【図６５】
2020022450.tif 000068
【図６６】
2020022450.tif 000069
【図６７】
2020022450.tif 000070
【図６８】
2020022450.tif 000071
【図６９】
2020022450.tif 000072
【図７０】
2020022450.tif 000073
【図７１】
2020022450.tif 000074
【図７２】
2020022450.tif 000075
【図７３】
2020022450.tif 000076
【図７４】
2020022450.tif 000077
【図７５】
2020022450.tif 000078
【図７６】
2020022450.tif 000079
【図７７】
2020022450.tif 000080